(57)【特許請求の範囲】
【請求項１】
遊技領域を形成する遊技盤を前面枠の遊技盤収納部に対して着脱可能に配設し、該遊技盤前面の所要領域において遊技に関わる表示ゲームを表示するようにした遊技機において、
前記前面枠の左右方向一側に、前記遊技盤を係止する係止部材を配設する一方、他方に前記遊技盤を固定する遊技盤固定部材を配設し、該遊技盤の一方端を前記前面枠前方側から前記係止部材に係止させた状態で、他方端側を前記遊技盤固定部材で固定可能な位置まで後方に回動させることで、当該遊技盤を前記前面枠に装着するように構成し、
前記前面枠における前記遊技盤の後方位置に、前記表示ゲームを実行する表示ユニットを設け、
前記表示ユニットは、前後にスライド可能であって前方側に付勢された状態で前記前面枠側に配設されるとともに、前記遊技盤を前面枠に装着した際に、遊技盤の裏面当接部と前記表示ユニットの当接部とが当接可能に設けられ、
前記表示ユニットは、前記遊技盤を取り付けない状態で、前方に移動した場合に、前記遊技盤の係止側斜め前方を向くように構成されていることを特徴とする遊技機。
【請求項２】
遊技領域を形成する遊技盤を前面枠の遊技盤収納部に対して着脱可能に配設し、該遊技盤前面の所要領域において遊技に関わる表示ゲームを表示するようにした遊技機において、
前記前面枠における前記遊技盤の後方に位置し、前記表示ゲームを実行する表示ユニットと、
前記表示ユニットを、前後にスライド可能に支持する裏機構枠と、
前記裏機構枠に一端が取り付けられ、前記表示ユニットを前方側に付勢する付勢部材と、
を備え、前記遊技盤を前面枠に装着した際に該遊技盤の裏面当接部と前記表示ユニットの当接部とが当接可能に構成し、
前記裏機構枠は、
前記前面枠に対して、左右方向一側が上下方向の回動軸により開閉可能に軸着され、
前記表示ユニットは、前記遊技盤を取り付けない状態で、前方に移動した場合に、前記一側斜め前方を向くように構成されていることを特徴とする遊技機。
【発明の詳細な説明】
【技術分野】
【０００１】
本発明は、遊技領域を形成する遊技盤を前面枠に対して着脱可能に配設し、該遊技盤前面の所要領域において遊技に関わる表示ゲームを表示するようにした遊技機に関する。
【背景技術】
【０００２】
従来、遊技領域を形成する遊技盤を本体枠（前面枠）に着脱自在に装着するようにした遊技機が知られている。遊技盤には複数の識別情報を変動表示可能な変動表示装置が備えられ各機種固有の画像を表示し、また、遊技盤には各機種固有の装飾部材やセル板が設けられている。最近では、前記変動表示装置として液晶表示装置等を設けることが増えている。
そして、遊技機の機種を変更する際には、遊技機全体を交換せずに、遊技盤のみを交換することも可能であるが、従来の遊技機の場合には、遊技盤に変動表示装置が設けられていることから、遊技盤の交換の際には、比較的高価な変動表示装置も交換することとなっている。
また、変動表示装置を本体側に配設して遊技盤と変動表示装置（液晶表示器）を別構成にすることで遊技盤を交換する際でも、変動表示装置をそのまま本体枠側に残せるようにした遊技機も考えられている（例えば、特許文献１参照）。
【先行技術文献】
【特許文献】
【０００３】
【特許文献１】特開２００３−３２００９４号公報
【発明の概要】
【発明が解決しようとする課題】
【０００４】
しかしながら、従来の遊技機においては、変動表示装置は本体側に配設されるが、本体枠に固定されて（移動できない状態で）配設されている。
遊技盤は機種ごとに様々な形状を有することから、従来のように変動表示装置が固定されていると、遊技盤から後方に突出した部位があった場合に、遊技盤の後端部と変動表示装置が接触して、本体枠に装着できない遊技盤が発生したり、或いは、遊技盤と変動表示装置の表面との間に比較的大きな隙間が形成されてしまうような遊技盤が発生してしまい変動表示装置での表示態様に支障が出てしまったりする可能性もある。
【０００５】
また、液晶表示器を備えた表示ユニットを、前後にスライド可能で前方側に付勢するようにした場合には、以下のような問題が発生する虞がある。
（１）  前面枠の前面側から遊技盤を取り付ける場合には、前方への付勢力に抗して遊技盤を遊技盤収納領域に収納し、収納した状態で遊技盤を固定する必要があり、遊技盤の取付がやりにくくなる虞がある。
（２）  遊技盤の一側を係合させ他側を固定して遊技盤を取り付ける場合には、遊技盤を回動しながら遊技盤収納領域に収納する際に、表示ユニットに対して遊技盤が斜めに押圧していく状態になる。これにより、表示ユニットが斜めになりうまくスライドせずに引っかかってしまったり、表示ユニットの当接部と遊技盤の当接部がうまく当接しなかったり、表示ユニットの当接部と遊技盤の当接部が擦れる状態になり引っかかってしまう虞がある。
（３）  前面枠の裏面側から遊技盤を取り付ける場合には、遊技盤を取り付けた後、表示ユニットを遊技盤の裏面側に配設する際に上記（２）のような問題が発生する虞がある。
【０００６】
本発明の課題は、遊技領域を形成する遊技盤を前面枠に対して着脱可能に配設し、該遊技盤前面の所要領域において遊技に関わる表示ゲームを表示するようにした遊技機において、前面枠側に配した表示ユニットが遊技盤に対する所定位置に容易かつ確実に配設されるようにすることである。
【課題を解決するための手段】
【０００７】
以上の課題を解決するため、請求項１に記載の発明は、遊技領域を形成する遊技盤を前面枠の遊技盤収納部に対して着脱可能に配設し、該遊技盤前面の所要領域において遊技に関わる表示ゲームを表示するようにした遊技機において、
前記前面枠の左右方向一側に、前記遊技盤を係止する係止部材を配設する一方、他方に前記遊技盤を固定する遊技盤固定部材を配設し、該遊技盤の一方端を前記前面枠前方側から前記係止部材に係止させた状態で、他方端側を前記遊技盤固定部材で固定可能な位置まで後方に回動させることで、当該遊技盤を前記前面枠に装着するように構成し、
前記前面枠における前記遊技盤の後方位置に、前記表示ゲームを実行する表示ユニットを設け、
前記表示ユニットは、前後にスライド可能であって前方側に付勢された状態で前記前面枠側に配設されるとともに、前記遊技盤を前面枠に装着した際に、遊技盤の裏面当接部と前記表示ユニットの当接部とが当接可能に設けられ、
前記表示ユニットは、前記遊技盤を取り付けない状態で、前方に移動した場合に、前記遊技盤の係止側斜め前方を向くように構成されていることを特徴とする。
【０００８】
請求項１に記載の発明によれば、前面枠の左右方向一側に、遊技盤を係止する係止部材を配設する一方、他方に遊技盤を固定する遊技盤固定部材を配設し、該遊技盤の一方端を前面枠前方側から係止部材に係止させた状態で、他方端側を遊技盤固定部材で固定可能な位置まで後方に回動させることで、当該遊技盤を前面枠に装着するように構成したので、容易に遊技盤を装着することができる。
【０００９】
また、前面枠における遊技盤の後方位置に、表示ゲームを実行する表示ユニットを設けたことで、表示ユニットを再利用することができる。
すなわち、表示ユニットが遊技盤ではなく前面枠側に設けられることとなり、遊技盤を交換する場合でも、表示ユニットは交換する必要がないので、表示ユニットを新たな遊技盤でも使用できる。また、遊技機の入れ替え時に遊技機全体を交換する場合でも、表示ユニットは遊技盤と別構成であるので、表示ユニットを簡単に取り外せることから、表示ユニットを再利用できる。
【００１０】
また、表示ユニットは、前後にスライド可能で前方側に付勢された状態で配設され、遊技盤を前面枠に装着した際に、遊技盤の裏面当接部と表示ユニットの当接部とが当接可能に設けられ、遊技盤を取り付けない状態で前方に移動した場合に、遊技盤の係止側斜め前方を向くように構成されているので、係止部材に係止された部分を軸として回動するように装着される遊技盤の裏面当接部と表示ユニットの当接部との、当接する際の角度の差を小さくすることができる。
すなわち、遊技盤の裏面当接部のうち係止部材に近い側の一部が先に当接部に当接するが、すぐに裏面当接部と当接部が全体で当接するようになるので、表示ユニットを付勢部材の付勢力に抗して確実に押し込むことができる。
また、先に当接部に当接した遊技盤の裏面当接部の係止部材に近い側の一部が、遊技盤の回動に伴って当接部に対して移動する距離を少なくすることができ、確実に適正位置に配置されるようになる。
【００１１】
ここで、表示ユニットの係止側斜め前方を向く角度を、裏面当接部が当接部に当接する当初から全体で当接可能な角度に設定すれば、より確実に表示ユニットを押し込むことができるとともに、より確実に裏面当接部を適正位置に配置できるようになる。
【００１２】
請求項２に記載の発明は、遊技領域を形成する遊技盤を前面枠の遊技盤収納部に対して着脱可能に配設し、該遊技盤前面の所要領域において遊技に関わる表示ゲームを表示するようにした遊技機において、
前記前面枠における前記遊技盤の後方に位置し、前記表示ゲームを実行する表示ユニットと、
前記表示ユニットを、前後にスライド可能に支持する裏機構枠と、
前記裏機構枠に一端が取り付けられ、前記表示ユニットを前方側に付勢する付勢部材と、
を備え、前記遊技盤を前面枠に装着した際に該遊技盤の裏面当接部と前記表示ユニットの当接部とが当接可能に構成し、
前記裏機構枠は、
前記前面枠に対して、左右方向一側が上下方向の回動軸により開閉可能に軸着され、
前記表示ユニットは、前記遊技盤を取り付けない状態で、前方に移動した場合に、前記一側斜め前方を向くように構成されていることを特徴とする。
【００１３】
ここで、遊技盤の前面枠への取り付けは、前面枠の前面側から行うようにしても良いし、前面枠の裏面側から行うようにしても良い。
【００１４】
請求項２に記載の発明によれば、前面枠における遊技盤の後方に位置し、表示ゲームを実行する表示ユニットと、表示ユニットを、前後にスライド可能に支持する裏機構枠と、裏機構枠に一端が取り付けられ、表示ユニットを前方側に付勢する付勢部材と、を備え、遊技盤を前面枠に装着した際に該遊技盤の裏面当接部と表示ユニットの当接部とが当接可能に構成したので、表示ユニットを再利用することができる。
すなわち、表示ユニットが遊技盤ではなく前面枠側に設けられることとなり、遊技盤を交換する場合でも、表示ユニットは交換する必要がないので、表示ユニットを新たな遊技盤でも使用できる。また、遊技機の入れ替え時に遊技機全体を交換する場合でも、表示ユニットは遊技盤と別構成であるので、表示ユニットを簡単に取り外せることから、表示ユニットを再利用できる。
【００１５】
また、裏機構枠は、前面枠に対して、左右方向一側が上下方向の回動軸により開閉可能に軸着され、表示ユニットは、遊技盤を取り付けない状態で、前方に移動した場合に、一側斜め前方を向くように構成されているので、回動可能な裏機構枠に配設された表示ユニットに設けられた当接部と、遊技盤の裏面当接部との、当接する際の角度の差を小さくすることができる。
すなわち、表示ユニットの当接部には、遊技盤の裏面当接部のうち、裏機構枠の回動軸に近い側の一部が先に当接するが、すぐに当接部と裏面当接部が全体で当接するようになるので、表示ユニットが付勢部材の付勢力に抗して確実に押し込まれるようになる。
また、先に当接部に当接した、裏機構枠の回動軸に近い側にある遊技盤の裏面当接部の一部が、裏機構枠の回動に伴って当接部に対して移動する距離を少なくすることができ、確実に適正位置に配置されるようになる。
【００１６】
ここで、表示ユニットの係止側斜め前方を向く角度を、裏面当接部が当接部に当接する当初から全体で当接可能な角度に設定すれば、より確実に表示ユニットが押し込まれるようになるとともに、より確実に裏面当接部を適正位置に配置できるようになる。
【発明の効果】
【００１７】
本発明によれば、遊技盤の裏面当接部と表示ユニットの当接部との、当接する際の角度の差を小さくすることができるとともに、先に当接部に当接した遊技盤の裏面当接部の一部が移動する距離を少なくすることができ、確実に適正位置に配置されるようになる。
【図面の簡単な説明】
【００１８】
【図１】本発明を適用した実施形態にかかる前面枠の裏面側を示す斜視図である。
【図２】図１の状態から裏機構枠を開放した前面枠の裏面側を示す斜視図である。
【図３】遊技盤の裏面側を示す斜視図である。
【図４】裏機構枠の背面図である。
【図５】裏機構枠の裏面側を示す分解斜視図である。
【図６】裏機構枠の前面側を示す分解斜視図である。
【図７】表示枠ユニットの前面側を示す図であって、前面クリアカバーをはずした状態を示す斜視図である。
【図８】遊技機の上部断面図であって、（ａ）遊技盤を取り付ける様子を示す図、（ｂ）ボックスを閉鎖する様子を示す図である。
【図９】遊技機の上部断面図であって、遊技盤、ボックスの取付が完了した状態を示す図である。
【図１０】固定部材の変形例を示す図であって、（ａ）固定部材による付勢取付部材の固定を解除した状態を示す図、（ｂ）固定部材によって付勢取付部材が固定された状態を示す図である。
【図１１】裏機構枠の変形例を示す図であって、（ａ）前面枠に遊技盤を前面側から取り付ける様子を示す図、（ｂ）遊技盤の取付が完了した状態を示す図である。
【図１２】裏機構枠の変形例を示す図であって、（ａ）裏機構枠を開放し遊技盤を前面枠の裏面側から取り付けた状態を示す図、（ｂ）遊技盤の取付が完了し裏機構枠を閉鎖した状態を示す図である。
【発明を実施するための形態】
【００１９】
以下、この発明の実施形態について図面を参照して説明する。
ここでは、本発明にかかる遊技機の適例としてのパチンコ遊技機について図１から図１２を用いて説明を行う。
【００２０】
本実施形態の遊技機１００は、図１，２に示すような前面枠１２０を有する。
この前面枠１２０は、遊技店の島設備に固定される矩形枠状に構成された図示しない機枠に、その一側方が回動可能に軸支されるようになっている。
また、前面枠１２０は、当該前面枠１２０に備えられる各種部材等の取付用のベースとなる前面枠本体１３０と、当該前面枠本体１３０に対して、その前面側に回動可能に軸支されたクリア部材保持枠１４０と、前面枠本体１３０の前面のクリア部材保持枠１４０の下側に取り付けられた発射操作ユニット１５０と、前面枠本体１３０の裏面側に回動可能に軸支され、表示枠ユニット１７０を備える裏機構枠１６０とを有する。
【００２１】
前面枠本体１３０は、矩形枠状の機枠の前面側をちょうど覆うような概略矩形板状に構成されるとともに、その中央から上端部に渡る部分に後述する遊技盤１を嵌め込んで収容するための方形状の開口部が形成されている。そして、前面枠本体１３０に収容された遊技盤１の前面が前面枠本体１３０の開口部から前側に臨むようになっている。すなわち遊技盤１は、前面枠本体１３０に嵌め込まれることで前面枠１２０に取り付けられている。
【００２２】
また、前面枠本体１３０の遊技盤１が嵌め込まれた開口部、すなわち、前面枠本体１３０の中央より少し下側から上端部にわたる部分には、前面枠本体１３０の前側を覆うように前記クリア部材保持枠１４０が配置されており、遊技盤１の前面と前記クリア部材保持枠１４０に嵌め込まれたクリア部材としてのガラス板との間で、遊技盤１の前面に設けられたガイドレール（図示略）に囲まれた部分が、遊技球が発射されて流下する遊技領域１ａ（図８に図示）とされている。
【００２３】
また、クリア部材保持枠１４０の一方の側部（遊技機１００の前面側から見て左側の側部）は、前面枠本体１３０の一方の側部に回動可能に軸支されて、扉状に開閉自在とされ、クリア部材保持枠１４０を開くことにより、遊技盤１の前面側の遊技領域１ａの前側を開放可能となっている。
クリア部材保持枠１４０には、前面枠本体１３０の開口部をほぼ閉塞するように、該開口部に嵌め込まれた遊技盤１との間に遊技球が流下可能な遊技領域１ａとなる間隔を開けて二重のガラス板が固定されている。そして、クリア部材保持枠１４０において、遊技機１００の前側からガラス板を介して遊技盤１の前面側の少なくとも遊技領域１ａの部分が視認可能となっている。また、クリア部材保持枠１４０の前面であって、ガラス板が固定されて遊技領域１ａを視認可能とする部分の周囲には、枠装飾装置としてのランプやＬＥＤなどが設けられている。
【００２４】
また、前面枠本体１３０の前面側のクリア部材保持枠１４０の下側には、発射操作ユニット１５０が取り付けられている。
発射操作ユニット１５０は、左右側部のうちの一側部となる左側部を前面枠本体１３０に軸着されて、左右方向に回動して開閉自在な開閉パネルとその下の下部パネルとからなる。開閉パネルは、排出された遊技球を貯留するとともに、遊技球を発射する発射装置に遊技球を送る上皿を有している。この上皿の周囲には、遊技者が操作可能な演出用ボタンが設けられている。また、開閉パネルの下側の下部パネルには、上皿に収容しきれない遊技球を収容する下皿及び灰皿と、遊技領域１ａに向けての遊技球の発射操作を行うとともに、該遊技領域１ａに遊技球を発射する際の発射勢を調節するための操作ハンドル１５１、音声を出力するスピーカなどが設けられている。
【００２５】
また、前面枠本体１３０の裏面側であって、遊技盤１が嵌め込まれた開口部の上端部から中央より少し下側にわたる部分には、前面枠本体１３０の裏面側を覆うように裏機構枠１６０が配置されている。
図２に示すように、裏機構枠１６０の前面の左側の端部は、前面枠本体１３０の裏面であって遊技機１００の裏面側から見て右側の側部に回動可能に軸支されて扉状に開閉自在とされ、裏機構枠１６０を開くことにより、遊技盤１の裏面側の上部を開放可能となっている。また、前面枠本体１３０に形成された開口部１３１には、図８（ａ）に示すように、遊技盤１を開口部１３１内に固定するための規制壁１３３、係止部材１３４、遊技盤固定部材１３５、位置決め部材１３６が設けられている。
【００２６】
その他、前面枠本体１３０には、各部材の取付位置に各部材を取り付けるための構造が設けられており、例えば、取り付けられた部材を囲むように補強用のリブが形成されていたり、ビス等による部材の取り付けのためのボス等が形成されている。
【００２７】
図２，３に示すように、前面枠本体１３０の開口部に嵌め込まれる遊技盤１は、木製の遊技盤本体１０の図示しない前面に、略円形に配されたガイドレールで囲まれた遊技領域１ａを有し、この遊技領域１ａ内に遊技球（打球；遊技媒体）を発射して遊技を行うようになっている。
遊技領域１ａ内には、図示しないが、普図始動ゲート、この普図始動ゲートを遊技球が通過して普図変動表示ゲームが未処理となっている未処理回数を表示する普図始動記憶表示器、普通図柄の変動表示ゲームを表示する普図変動表示器が設けられている。また、普通変動入賞装置と、この普通変動入賞装置に遊技球が入賞して特図変動表示ゲームが未処理となっている未処理回数を点灯表示する特図始動記憶表示器、特別図柄（特図、識別情報）の変動表示ゲームの表示領域となる表示用窓部１２を形成するセンターケース１１（裏面側を図２，３に図示）、特別変動入賞装置、遊技盤装飾装置、一般入賞口、風車と呼ばれる打球方向変換部材、多数の障害釘などが設けられている。
【００２８】
普図始動ゲート内には、該普図始動ゲートを通過した遊技球を検出するためのゲートセンサが設けられている。そして、遊技領域１ａ内に打ち込まれた遊技球が、普図始動ゲート内を通過すると、図示しない普図変動表示器において普図の変動表示ゲームが行われる。ここで、普図変動表示器は、例えば、ＬＥＤなどによって構成され、普通図柄（例えば、数字、記号、キャラクタ図柄など）の変動表示ゲームは、普図変動表示器の点灯状態を所定時間変動表示させた後、停止表示させることにより行うようになっている。なお、特図の変動表示ゲームの表示領域の一部で普図変動表示ゲームを表示するようにしても良い。この普図の変動表示ゲームの結果、普図変動表示器における停止表示が特別の結果態様となれば、普図の当たりとなって、普通変動入賞装置の開閉部材が所定時間（例えば、０.５秒間）後述のように開放される。これにより、普通変動入賞装置に遊技球が入賞しやすくなり、特図の変動表示ゲームの始動が容易となる。
【００２９】
普通変動入賞装置は左右一対の開閉部材を具備し、この開閉部材は、常時は遊技球が１個流入可能な程度の間隔で閉じた状態（遊技者にとって不利な状態）を保持しているが、普図変動表示器の普図変動表示ゲームの結果が所定の停止表示態様（例えば、「７」）となった場合には、逆「ハ」の字状に開いて普通変動入賞装置に遊技球が流入し易い状態（遊技者にとって有利な状態）に変化されるようになっている。
この普通変動入賞装置は、特図の始動入賞口も兼ねている。すなわち、普通変動入賞装置の内部（入賞領域）に備えられた始動口センサにより遊技球を検出することに基づき始動条件が成立し、特図の変動表示ゲームが開始されるようになっている。
【００３０】
図２，３に示すように、遊技盤１（遊技領域１ａ）の略中央部には、特図の変動表示ゲームの表示領域となる表示用窓部１２を形成するセンターケース１１が取り付けられている。
センターケース１１は、断面が複雑な曲線となった筒状の部材であって、筒状の空間が延在する方向が遊技盤１の前後方向に沿うように、遊技盤本体１０の略中央部に形成された開口部１４に挿入された状態で取り付けられている。なお、開口部１４は、断面が複雑な曲線となったセンターケース１１の断面形状に合わせて形成されている。
【００３１】
センターケース１１の前端面には装飾が施されているとともに、遊技盤装飾装置５４としての盤装飾ランプが設けられている。また、センターケース１１の内周面のうち下側となる部分は、遊技球が転動可能なステージとなっている。センターケース１１の後部は、遊技盤本体１０の裏面よりも後方に突出しており、その後端部１６には、後述する裏機構枠１６０に取り付けられた表示枠ユニット１７０の前面が接するように配される。すなわち、後端部１６は遊技盤１の裏面当接部の一部をなす。これによって、筒状のセンターケース１１の開口部である表示用窓部１２を介して、表示枠ユニット１７０の画像表示面１７１（図７に図示）の表示を遊技盤１の前面側から見ることができるようになっている。なお、後述するように画像表示面１７１の面積は表示用窓部１２の面積よりも十分広くなっており、画像表示面１７１上の表示は表示用窓部１２が配された領域のみで行われるように制御されている。
【００３２】
そして、遊技領域１ａ内に打ち込まれた遊技球が特図の始動口を兼ねる普通変動入賞装置へ進入して始動条件が成立することに基づき、画像表示面１７１にて複数種類の識別情報（例えば、数字、記号、キャラクタ図柄など）を変動表示させる特別図柄の変動表示ゲームを実行可能となっている。なお、特図の変動表示ゲームは、画像表示面１７１において、複数種類の識別情報を所定時間変動表示させることにより行う。
そして、この特図の変動表示ゲームの結果として、画像表示面１７１の表示態様が特別結果態様（例えば、「７，７，７」等のゾロ目数字の何れか）となった場合には、大当たりとなって特別遊技状態（いわゆる、大当たり状態）となる。
【００３３】
特別変動入賞装置は、上端側が手前側に倒れる方向に回動して開放可能になっているアタッカ形式の開閉扉によって開閉される大入賞口を備えていて、特別遊技状態中は、大入賞口を閉じた状態から開いた状態に変換することにより大入賞口内への遊技球の流入を容易にさせる。なお、開閉扉は、ソレノイドにより駆動される。また、大入賞口の内部（入賞領域）には、該大入賞口に入った遊技球を検出するための大入賞口用センサが配設されている。
【００３４】
また、遊技領域１ａに設けられた各一般入賞口には、一般入賞口に入った遊技球を検出するための一般入賞口センサが配設されている。そして、遊技を開始することにより遊技領域１ａ内に打ち込まれた遊技球が、一般入賞口、始動入賞口（普通変動入賞装置）、大入賞口（特別変動入賞装置）等の入賞口の何れかに入賞すると、それぞれの入賞口に対応した所定数の賞球としての遊技球が後述の排出発射制御装置３４（排出発射制御基板）の制御により排出装置２００によって上皿に排出される（払い出される）ようになっている。
【００３５】
また、遊技盤本体１０の前面であって、遊技領域１ａを区画するガイドレールの外側となる部分には、周囲構成部材１７が取り付けられている。そして、図８（ａ）に示すように、周囲構成部材１７の前面であって、遊技盤１の前面側から見て左側の端部には、後述する係止部材１３４の先端部が当接する矩形状の凹部である係止受部１５が形成されている。また、周囲構成部材１７の前面であって、遊技盤１の前面側から見て右側の端部および上辺の右側には、後述する遊技盤固定部材１３５が当接する段部である固定部材受部１９が形成されている。
【００３６】
遊技盤１は、前面枠本体１３０に形成された開口部１３１に対して、遊技機１００の前面側から着脱可能に嵌め込まれて固定されている。すなわち、前面枠１２０に対して着脱可能に配設されているが、図８（ａ）に示すように、開口部１３１には開口部１３１内の所定位置に遊技盤１を固定する部材として、規制壁１３３および係止部材１３４、遊技盤固定部材１３５、位置決め部材１３６が設けられている。
規制壁１３３は、開口部１３１の内面に対して垂直に開口部１３１の中心方向に延出する板状の部材であって、開口部１３１の内周面に沿って形成されている。
開口部１３１は、この規制壁１３３によって開口する部分の面積が狭められた状態となるが、規制壁１３３が開口部１３１の内周面から延出する幅は、前面枠本体１３０の裏面側に配される後述する表示ユニット１７３の画像表示面１７１にかからない幅となっている。すなわち、遊技盤１を取り外した状態では、前面枠本体１３０の開口部１３１を介して表示ユニット１７３の画像表示面１７１の全面が視認可能となっている。
【００３７】
遊技機１００の前面側から見て左側となる開口部１３１の内周面上であって規制壁１３３の前側には、係止部材１３４が上下に２つ設けられている。この係止部材１３４が設けられている位置は、遊技盤１に形成された上述の係止受部１５と対応する位置となっている。係止部材１３４は、金属や合成樹脂などの弾性を有する材質からなる板状の部材で、その板面が開口部１３１の内周面に沿って前方に延出するとともに、先端側が開口部１３１の内側方向に湾曲しており、先端部分はさらに湾曲して筒状に形成されている。なお、外部から力がかかっていない状態において、係止部材１３４の先端と規制壁１３３の前面との間隔は、遊技盤１の係止受部１５が形成された部分の厚みよりも狭いものとされている。
【００３８】
遊技機１００の前面側から見て右側および上側となる開口部１３１の内周面上であって規制壁１３３の前側には、遊技盤固定部材１３５がそれぞれ１つずつ設けられている。この遊技盤固定部材１３５が設けられている位置は、遊技盤１に形成された上述の固定部材受部１９と対向する位置となっている。この遊技盤固定部材１３５は、規制壁１３３の前面側に、規制壁１３３に対して垂直に植設された回動軸１３５ａと、回動軸１３５ａの前端部に回動自在に取り付けられた長円形板状の固定部１３５ｂとからなる部材で、固定部１３５ｂが開口部１３１に収容された遊技盤１の前面側に当接して遊技盤１の前方向への移動を規制するものである。
【００３９】
固定部１３５ｂは、その板面が規制壁１３３と平行になるように、板面の端部が回動軸１３５ａに取り付けられている。また、回動軸１３５ａに取り付けられた固定部１３５ｂの板面の裏面と規制壁１３３の前面との間隔は、遊技盤１の固定部材受部１９が形成された部分の厚みと略同じとなっている。よって、図８（ｂ）に示すように、遊技盤１を開口部１３１に収容した状態で固定部１３５ｂを回動させることで、固定部１３５ｂの裏面が遊技盤１の前面に形成された固定部材受部１９に当接する状態と、図８（ａ）に示すように、該固定部材受部１９から退避した状態とに変換でき、これによって遊技盤１の固定と解除を行うことができる。なお、遊技盤１に形成された固定部材受部１９は、上述のように回動する固定部１３５ｂを受け入れ可能な上下幅、左右幅を有する段部となっている。
【００４０】
開口部１３１の左右にある規制壁１３３の前面側であって、上述の係止部材１３４に隣接する位置と、開口部１３１の開口部分を挟んで対向する位置には、長方形の１つの角が切り取られた形状をした板状の位置決め部材１３６が設けられている。すなわち、開口部１３１の左右にある規制壁１３３の前面側には、それぞれ２つずつ位置決め部材１３６が設けられている。この位置決め部材１３６は、その板面が水平になるように規制壁１３３の前面と開口部１３１の内周面に接するとともに、角部が切り取られ斜辺となった部分が開口部１３１の内側かつ前側（遊技盤１が挿入される側）に配されるように設けられている。また、開口部１３１の開口部分を挟んで対向する位置決め部材１３６，１３６の側端部であって、開口部１３１の内側に位置する側端部間の間隔は、遊技盤１の左右幅と略同じとなっている。このような位置決め部材１３６によって、後述するように、遊技盤１の取り付けの際に、遊技盤１を開口部１３１の所定位置に案内することができるとともに、開口部１３１に完全に収容された遊技盤１の側面に当接して、遊技盤１の左右方向への移動を規制することができる。
【００４１】
図２，３に示すように、遊技盤１の裏面側であって、遊技盤１の前面側から見てセンターケース１１の左側及び上側には遊技盤１の裏面当接部の一部をなす第１の位置調整部材１３８、第２の位置調整部材１３７が設けられている。このセンターケース１１の左側（上側）にある第１の位置調整部材１３８（第２の位置調整部材１３７）は、後述するように、表示枠ユニット１７０の前面側から見て左側（上側）に設けられた表示ユニット１７３側の当接部の一部をなす第１の被位置調整部２１（第２の被位置調整部２０）の左右位置（上下位置）に対応して設けられている。
【００４２】
センターケース１１の左側にある第１の位置調整部材１３８は、遊技盤本体１０の裏面から後方に延出して設けられるとともに、その後端面が、センターケース１１側から遊技盤本体１０の側面側に向かって前側に傾斜した傾斜面１３８ａとなっている。また、後端面のセンターケース１１側の端部には、その端部に沿って板状のリブ１３８ｂが後方側に突出するように設けられている。なお、傾斜面１３８ａの前面側から見て右側の端部（センターケース１１側の端部）の前後位置は、センターケース１１の後端部１６とほぼ同じ前後位置となっている。また、リブ１３８ｂの前後幅は、後述する第１の被位置調整部２１の前面側から見て右側の側面における前後幅以下となっている。
【００４３】
センターケース１１の上側にある第２の位置調整部材１３７は、遊技盤本体１０の裏面から後方に延出して設けられるとともに、後端面に誘導ガイド部１３７ａが形成されている。誘導ガイド部１３７ａは、断面Ｖ字状で左右に延在する溝状となっているとともに、上下の中央部にさらに溝状で断面半円状の係合固定部１３７ｂが形成されている。すなわち、係合固定部１３７ｂは、Ｖ字状の溝の谷底となる位置にあって、第２の位置調整部材１３７の後端面で最も前側の位置となるように形成されている。なお、係合固定部１３７ｂの前後位置は、センターケース１１の後端部１６とほぼ同じ前後位置となっている。
【００４４】
また、遊技盤本体１０の裏面であって、第１の位置調整部材１３８、第２の位置調整部材１３７が取り付けられる部分には、図示しない凹部とねじ止め部が形成されている。なお、この凹部が形成される位置は、遊技盤本体１０に形成された開口部１４に挿入されたセンターケース１１に形成された表示用窓部１２の位置を基準としている。そして、第１の位置調整部材１３８、第２の位置調整部材１３７の遊技盤本体１０の裏面に接する面には、遊技盤本体１０の裏面に形成された凹部にちょうど嵌る図示しない凸部が形成されているとともに、ねじ孔１３７ｃ，１３７ｃ，１３８ｃ，１３８ｃが形成されている。第１の位置調整部材１３８、第２の位置調整部材１３７を遊技盤本体１０の裏面に取り付ける際には、第１の位置調整部材１３８、第２の位置調整部材１３７の凸部が遊技盤本体１０に形成された凹部に嵌るように配し、さらに、第１の位置調整部材１３８、第２の位置調整部材１３７に形成されたねじ孔１３７ｃ，１３７ｃ，１３８ｃ，１３８ｃにねじを挿通し、遊技盤本体１０に形成されたねじ止め部に螺合することで、第１の位置調整部材１３８、第２の位置調整部材１３７が適正位置に取り付けられるようになる。
【００４５】
この第１の位置調整部材１３８が第１の被位置調整部２１の左右位置を調整し、第２の位置調整部材１３７が第２の被位置調整部２０の上下位置を調整することで、表示枠ユニット１７０に備えられた表示ユニット１７３の上下左右位置を調整するようになっている。なお、表示ユニット１７３の位置調整については後に詳しく説明する。
【００４６】
遊技盤１の裏面側であって、センターケース１１の下側には、普通変動入賞装置、大入賞口、一般入賞口などに入賞した遊技球を流下させる入賞球流路や、中継基板などを備えた裏面構成部材４０が取り付けられている。
また、この裏面構成部材４０には、その裏面側に演出データ装置３２を取り付けるためのボス等が形成されており、演出データ装置３２などを遊技盤１の裏面に取り付けるためのベースとしての機能も有する。
【００４７】
また、図１から３に示すように、遊技機１００は、その制御系として遊技の進行を制御する遊技制御装置３０（主制御基板、主制御回路）、この遊技制御装置３０の制御下で各種の演出に関する制御を行う演出データ装置３２（演出ＲＯＭ基板、第１制御回路）、演出制御装置３３（演出制御基板、第２制御回路）、排出装置２００による賞球または貸球の払い出しの制御と、発射装置による遊技球の発射の制御を行う排出発射制御装置３４（排出発射制御基板、排出発射制御回路）、電力を供給する電源供給装置３７（電源基板、電源回路）を備えている。
【００４８】
そして、これらの各装置は以下のように遊技機１００に取り付けられている。
図１から３に示すように、画像表示面１７１における表示データなど、機種に依存するデータが記憶された演出データ装置３２は、ボックス３２ａに収納された状態で、遊技盤１の裏面側下方部に設けられた裏面構成部材４０の裏面側であって、後述する裏機構枠１６０の下縁からその下側に取り付けられている。このボックス３２ａの裏面側には、演出制御装置３３と接続するためのコネクタ部３２ｆ、遊技制御装置３０と接続するため（遊技制御装置３０と演出制御装置３３との間の中継のため）のコネクタ部３２ｇ、遊技盤装飾装置５４と接続するためのコネクタ部３２ｈが設けられている。さらに、ボックス３２ａの裏面側には、ボックス３０ａに収納された遊技を制御する遊技制御装置３０が取り付けられるようになっている。すなわち、ボックス３２ａの裏面は遊技制御装置３０を取り付けるための台座をなす。また、ボックス３２ａに隣設して、遊技機外部の装置（管理装置）と接続するための盤用外部出力端子２０６が設けられている。
【００４９】
また、複数の機種で共通使用可能な演出制御装置３３は、ボックス３３ａに収納された状態で前面枠本体１３０の裏面側に取り付けられた後述の裏機構枠１６０に取り付けられている。なお、ボックス３３ａの前側の下部には、コネクタ部３３ｍが、裏機構枠１６０の下縁から下方に突出するように設けられ、演出データ装置３２のコネクタ部３２ｆと接続することが可能となっており、これによって両者が直接接続されるようになっている。なお、画像表示面１７１での表示の制御は、演出制御装置３３に備えられたＶＤＰ（video display processor）によって主に行われる。すなわち、演出制御装置３３が表示ユニットを制御する表示制御装置をなす。
【００５０】
また、排出装置２００による賞球の排出、発射装置による遊技球の発射を制御する排出発射制御装置３４、遊技機１００内の各装置に電力を供給する電源回路としての電源供給装置３７は、それぞれボックス３４ａ、３７ａに収納された状態で、前面枠本体１３０の裏面側の遊技盤１より下側となる位置に取り付けられている。
【００５１】
すなわち、機種に依存する演出データ装置３２、遊技制御装置３０は遊技盤１に取り付けられ、複数の機種で共通使用可能な演出制御装置３３や排出発射制御装置３４、電源供給装置３７は前面枠本体１３０もしくは裏機構枠１６０に取り付けられている。よって、遊技盤１を変更することにより機種に依存する装置（基板）のみが交換され、遊技機１００の遊技内容を変更することが可能である。
【００５２】
図１，２、４から６に示すように、裏機構枠１６０は、本体部１６１と、画像を表示する表示ユニット１７３を備える表示枠ユニット１７０を支持、案内するためのガイド部１６２とを有し、表示枠ユニット１７０の他、表示枠ユニット１７０を制御する演出制御装置３３、賞球などを排出する排出装置２００と排出装置２００に遊技球を供給する貯留タンク２２０、シュート２４０が取り付けられている。
【００５３】
上述したように、裏機構枠１６０の前から見て左側の端部は、前面枠本体１３０の裏面であって遊技機１００の裏面側から見て右側の側部に回動可能に軸支されており、図１に示すように、前面枠本体１３０に形成されて遊技盤１が嵌め込まれる開口部の上側略半分を裏面側から覆って遊技盤１の裏面に臨む状態から、図２に示すように、後方に扉状に回動して遊技盤１の裏面側を開放する状態との間で回動可能となっている。すなわち、裏機構枠１６０に表示ユニット１７３が配設されることで、表示ユニット１７３は該裏機構枠１６０を介して前面枠１２０側に配設された状態で遊技盤１の後方位置に配設されることとなる。なお、裏機構枠１６０が、遊技盤１が嵌め込まれる開口部の上側略半分を裏面側から覆った状態においては、遊技盤裏面における演出データ装置３２が配設される部位を除く遊技盤裏面側の上方部を覆うようになっている。
【００５４】
図６に示すように、本体部１６１は、所定の厚みを有する背面壁２６３と、背面壁２６３の下側を除く周囲に前方に延出するように形成された周囲壁１６７とを有し、これら背面壁２６３と周囲壁１６７とから、裏機構枠１６０が遊技盤１の裏面に臨む状態において、前面側（遊技盤１の裏面に臨む側）に開口する矩形箱状の凹部である表示枠ユニット配設部１６３が形成されている。
【００５５】
さらに、背面壁２６３の左右に位置する周囲壁１６７の前側には、それぞれガイド部１６２が、左右の周囲壁１６７を前側に延長するように取り付けられている。そして、ガイド部１６２を本体部１６１に取り付けた状態では、図６に示すように、ガイド部１６２の内周面が周囲壁１６７の内周面のうちの主に左右の内周面と略同一面を形成するようになっており、ガイド部１６２によって周囲壁１６７の内周面の一部が前側に延出された状態となっている。この背面壁２６３と周囲壁１６７およびガイド部１６２で形成される、所定の奥行きを有するとともに前側に開口した矩形凹室形状の空間（少なくとも背面と左右側面とを囲まれた空間）が、表示枠ユニット１７０を収納する表示枠ユニット収納部１６８となる。すなわち裏機構枠１６０は、前面側に凹室形状の表示枠ユニット収納部１６８を形成するように、後方側に膨出状に構成されている。
また、裏機構枠１６０の前面側から見て左側に設けられたガイド部１６２には、軸受け部１６２ａが形成されており、前面枠本体１３０の裏面側に設けられた上下方向に延在する回動軸１３２を軸受け部１６２ａに回動可能に嵌合することで、裏機構枠１６０が前面枠本体１３０に対して回動可能に軸支されるようになっている。
【００５６】
裏機構枠１６０の上部には、外部から供給される遊技球を貯留する貯留タンク２２０と、該貯留タンク２２０と一体的に設けられ、該貯留タンク２２０に貯留されている遊技球を下流側に排出可能な排出装置２００が設けられている。
【００５７】
貯留タンク２２０は、上面側が開放した概略長方形状の箱体であって、外部（島設備の補球装置）から供給される遊技球を貯留するものである。
この貯留タンク２２０の一側方であって、裏機構枠１６０が前面枠本体１３０に軸着される側には、排出装置２００が一体的に設けられており、貯留タンク２２０の底壁２２１は、排出装置２００が設けられた側に向かって下るように傾斜している。
【００５８】
排出装置２００は、（遊技制御装置３０の制御の下で）排出発射制御装置３４によって制御され、底部に形成された図示しない排出用導出口から賞球もしくは貸球として所定数の遊技球を排出することや、底部に形成された図示しない球抜き導出口から貯留タンク２２０内の遊技球を遊技機外部（島設備の回収樋）に排出することができるようになっている。
【００５９】
排出装置２００から排出された遊技球は、図５に示すように、表示枠ユニット収納部１６８の前面側から見て左側の側部に設けられた遊技球流路をなすシュート２４０を流下する。シュート２４０には、賞球もしくは貸球として排出用導出口から排出された遊技球が流下する排出流路と、球抜きのために球抜き用導出口から排出された遊技球が流下する球抜き流路が形成されている。排出流路はその下流側端部で遊技球を上皿に誘導する流路に連結しており、排出装置２００から賞球または貸球として排出された遊技球が上皿に流入するようになっている。また、球抜き流路はその下流側端部で遊技球を遊技機外部に誘導する流路に連結しており、排出装置２００によって貯留タンク２２０から抜き取られた遊技球が遊技機外部に排出されるようになっている。
【００６０】
図１，４に示すように、裏機構枠１６０の裏面となる背面壁２６３の裏面の下部には、前方に窪んで後方に開口した略矩形状の凹部である演出制御装置配設部１６５が形成され、演出制御装置３３を収容したボックス３３ａが配設されている。なお、上述したように、演出制御装置３３が表示制御装置をなすものであることから、演出制御装置配設部１６５が表示制御装置を取り付ける表示制御装置取付部をなす。
演出制御装置配設部１６５の裏面側から見て右側の内側面には、本体部１６１の上下方向に沿って延在する回動軸２６４が設けられており、この回動軸２６４によってボックス３３ａに形成された軸受け部２６９が軸支されることで、演出制御装置３３を収納したボックス３３ａが演出制御装置配設部１６５に対して扉状に開閉可能に支持されている。なお、ボックス３３ａは、図４に示すように、演出制御装置配設部１６５に収容された状態から、図１に示すように、本体部１６１の後方へ回動可能となっている。
【００６１】
また、背面壁２６３の裏面であって、演出制御装置配設部１６５が形成された部分には、演出制御装置配設部１６５の前面側に形成された表示枠ユニット収納部１６８に連通する配線用開口（図示略）が形成されており、この配線用開口を通して液晶表示パネル１７５と演出制御装置３３とが配線によって接続されるようになっている。
【００６２】
演出制御装置３３を収容したボックス３３ａの上下幅は、演出制御装置配設部１６５の上下幅よりも広く、演出制御装置配設部１６５にこのボックス３３ａを収容すると、ボックス３３ａの下部が演出制御装置配設部１６５の下方に延出するようになっている。そして、図２に示すように、ボックス３３ａの前面側であって本体部の下縁の下方に延出する部分からは、演出制御装置３３に設けられたコネクタ部３３ｍがボックス３３ａの外側に露出している。
【００６３】
また、上述したように、遊技盤１の裏面には演出データ装置３２が取り付けられており、この演出データ装置３２の裏面であって、演出制御装置３３が取り付けられた演出制御装置配設部１６５の下方に位置する部分には、コネクタ部３２ｆが設けられている。
【００６４】
すなわち、遊技盤１が前面枠本体１３０に取り付けられ、かつ、裏機構枠１６０が遊技盤１の裏面側に配された状態で、演出制御装置３３を収容したボックス３３ａを演出制御装置配設部１６５に収容される状態にすると、演出データ装置３２のコネクタ部３２ｆと演出制御装置３３のコネクタ部３３ｍが連結し、演出データ装置３２と演出制御装置３３が直接接続できるようになっている。さらに、ボックス３３ａは、コネクタ部３３ｍの両側にワンタッチ着脱式の固定部材３３ｄ，３３ｄを有しており、演出データ装置３２に形成された取付穴３２ｉ，３２ｉに固定部材３３ｄ，３３ｄを押し込むことで両装置のコネクタ３２ｆ，３３ｍを確実に連結できるようになっている。また、ボックス３３ａの演出制御装置配設部１６５に軸着される側の端部にも、コネクタ部３３ｎが外部に露出するように設けられており、他の制御装置等と接続できるようになっている。
【００６５】
図１，５に示すように、ボックス３３ａの裏面には、演出制御装置配設部１６５の上側に形成された後述する付勢取付部材移動部２７０内に前後方向に移動可能に配設された付勢取付部材２７１を、前方向に押圧するための押圧部２７２が設けられている。この押圧部２７２は、ボックス３３ａの裏面に形成され、上下方向に延在する筒状の空間を備えた押圧部材取付部２７３と、該筒状の空間に挿入され、ボックス３３ａの上方に突出する丸棒状の押圧部材２７４とを有している。
【００６６】
押圧部２７２のボックス３３ａ裏面における配設位置は、ボックス３３ａを演出制御装置配設部１６５に収納した状態において、付勢取付部材２７１の左右方向の中央に押圧部材２７４が当接するような位置に設けられている。また、押圧部材２７４がボックス３３ａの上方に突出する幅は、ボックス３３ａを演出制御装置配設部１６５に収納した状態において、付勢取付部材移動部２７０の上側に突出して、ここに形成された押圧部固定部材２７５で固定可能な幅とされている。さらに、押圧部材２７４は、その延在方向に沿った軸を中心として回動可能に押圧部材取付部２７３に取り付けられており、一側部が回動可能に軸支されたボックス３３ａを回動させることによって付勢取付部材２７１を前方向に押圧する際に、スムーズに付勢取付部材２７１を押圧できるようになっている。なお、押圧部２７２によって付勢取付部材２７１を前方向へ押圧することに伴う、表示枠ユニット１７０の前方向への移動や、表示ユニット１７３の位置調整等については後述する。
【００６７】
また、演出制御装置配設部１６５の回動軸２６４が設けられた側に対向する内側面には、演出制御装置配設部１６５に対して回動可能に取り付けられるボックス３３ａの一端部（開放端）を固定する固定部材２６５が設けられている。この固定部材２６５には演出制御装置配設部１６５側に開口する凹部２６６が形成されている。
また、図１に示すように、ボックス３３ａの軸着される側と対向する側の端部（開放端）には、係合部２６７が設けられている。この係合部２６７は、ボックス３３ａの裏面に設けられた操作手段２６８（図４に図示）を操作することで、ボックス３３ａの側部から突出した状態とボックス３３ａ内部に収納された状態とに変換できるようになっている。
固定部材２６５の凹部２６６と係合部２６７は、ボックス３３ａを演出制御装置配設部１６５内に収容した状態において、互いに対向する位置に配されており、この状態で操作手段２６８を操作して係合部２６７を突出させると、係合部２６７が凹部２６６に係合してボックス３３ａの開放端側が係止されるようになっている。また、操作手段２６８を操作して係合部２６７を収納すると、ボックス３３ａの開放端側の係止が解除されるようになっている。すなわち、操作手段２６８を操作することで、ボックス３３ａの演出制御装置配設部１６５への固定と解除を行えるようになっている。
【００６８】
さらに、裏機構枠１６０の裏面であって、演出制御装置配設部１６５の固定部材２６５に隣接する部分には、ボックス３３ａを演出制御装置配設部１６５内に固定する表示制御装置固定部材２７６が設けられている。この表示制御装置固定部材２７６は、裏機構枠１６０の裏面に対して垂直に配される回動軸２７６ａと、該回動軸２７６ａの一端に形成され、裏機構枠１６０の裏面に対して平行に配される長円形板状の固定部１７６ｂとからなる。そして、回動軸２７６ａを中心に回動させることで、固定部２７６ｂが演出制御装置配設部１６５に出没可能に構成されており、固定部２７６ｂが演出制御装置配設部１６５に収容されたボックス３３ａの裏面に当接することで、ボックス３３ａの後方向への移動を規制するようになっている。
【００６９】
また、演出制御装置配設部１６５の上側に形成された付勢取付部材移動部２７０の上側にも、同様に回動軸２７５ａと固定部２７５ｂを有する押圧部固定部材２７５が設けられている。この押圧部固定部材２７５は、ボックス３３ａに設けられた押圧部２７２の押圧部材２７４の先端部を固定することで、ボックス３３ａが後方向へ移動することを規制するものである。
【００７０】
また、この押圧部固定部材２７５に隣接する位置には、確実に押圧部固定部材２７５によって押圧部材２７４を固定できるように位置決めをするための押圧部係止部材２７５ｃが設けられている。この押圧部係止部材２７５ｃは、ボックス３３ａを演出制御装置配設部１６５内に収容した状態において、押圧部固定部材２７５によって固定される位置にある押圧部材２７４の、裏機構枠１６０の裏面側から見て左側の側部に当接する位置に設けられている。なお、ボックス３３ａは、裏機構枠１６０の裏面側から見て右側の端部が裏機構枠１６０に回動可能に軸支されており、ボックス３３ａに設けられた押圧部２７２は、ボックス３３ａが軸着された部分を中心とした円弧状の経路を移動する。よって、ボックス３３ａを演出制御装置配設部１６５に収容する過程において、押圧部２７２は、裏機構枠１６０の裏面側から見て左方向に移動し、かつ、前方向に移動することとなるので、押圧部係止部材２７５ｃは、押圧部材２７４の左側部に当接する位置のみに設けられている。
【００７１】
図５に示すように、背面壁２６３の裏面であって、裏機構枠１６０の裏面側から見て、演出制御装置配設部１６５の右側には、演出制御装置３３と他の装置等を接続する配線を収納する配線収納部２０４が形成されている。
この配線収納部２０４は、演出制御装置配設部１６５に連通する前方に窪んで後方に開口した凹部であって、配線を収納する他、遊技機外部の装置（管理装置など）との通信を行うための枠用外部出力端子２０５を取り付けるための取付部２０５ａや、中継基板２０７を取り付けるための取付部２０７ａが形成されている。この配線収納部２０４は、カバー部材２０８によって覆われるようになっているが、カバー部材２０８の上部には開口部２０９が形成されており、カバー部材２０８を取り付けた状態で、取付部２０５ａに取り付けられた枠用外部出力端子２０５が裏機構枠１６０の裏面側に露出するようになっている。
【００７２】
演出制御装置配設部１６５の上側には、背面壁２６３を前後に貫通する開口部２７０ａを有する付勢取付部材移動部２７０が形成され、ここに、後述する付勢部材をなす圧縮コイルばね１８２を取り付ける付勢取付部材２７１が前後方向に移動可能に保持されている。
【００７３】
付勢取付部材移動部２７０は、背面壁２６３を前後に貫通する矩形状の開口部２７０ａと、該開口部２７０ａの左右端部に形成された案内部２７０ｂ、２７０ｂとを備える。
開口部２７０ａは、演出制御装置配設部１６５の上側に隣接し、背面壁２６３の左右方向の中央にあって、その大きさは、矩形板状の付勢取付部材２７１がちょうど収まる大きさとなっている。なお、上述したように、背面壁２６３は所定の厚みを有しており、開口部２７０ａは、前後方向に延在する矩形筒状の空間となっている。この開口部２７０ａの後端部（背面壁２６３の裏面側に位置する端部）であって、左右の端部には、背面壁２６３の裏面よりも後方に突出する案内部２７０ｂ，２７０ｂが形成されている。案内部２７０ｂ，２７０ｂは、矩形筒状の空間である開口部２７０ａの左右端部における内側面を後方に延設するように断面コ字状に形成されており、その後端部は閉鎖されている。
このような開口部２７０ａ、案内部２７０ｂ，２７０ｂを備える付勢取付部材移動部２７０によって、矩形板状の付勢取付部材２７１が前後方向に移動可能に保持されるようになっている。
【００７４】
図６に示すように、付勢取付部材２７１は矩形板状の部材であって、上述の付勢取付部材移動部２７０に前後方向に移動可能に収容されるようになっている。付勢取付部材２７１の表示枠ユニット収納部１６８側に配される前面には、付勢部材としての圧縮コイルばね１８２，１８２を取り付けるための付勢部材収納部１８１，１８１が形成されている。付勢部材収納部１８１，１８１は、圧縮コイルばね１８２の外径と略同じ内径を有する円筒形の凹部で、付勢取付部材２７１の左右方向の中心から左右に等しい距離だけ離れて２つ設けられている。また、付勢部材収納部１８１，１８１には、図示しない固定部材が設けられており、圧縮コイルばね１８２，１８２の一端を付勢部材収納部１８１，１８１内に固定できるようになっている。また、付勢取付部材２７１の前面には、付勢部材収納部１８１，１８１が形成された部分を除いて補強リブ２７１ａが格子状に形成されている。
【００７５】
なお、付勢取付部材移動部２７０に前後方向に移動可能に保持された付勢取付部材２７１は、上述したボックス３３ａに設けられた押圧部２７２によって前方向に押圧されるようになっている。ここで、押圧部２７２が最も前側の位置にある場合である、ボックス３３ａが演出制御装置配設部１６５に収納された状態においては、図９に示すように、付勢取付部材２７１の裏面が、裏機構枠１６０の背面壁２６３の裏面と略同じ前後位置に位置するようになっている。すなわち、この位置が付勢取付部材２７１の前位置となる。
また、付勢取付部材２７１は、ボックス３３ａを後方向に回動させて押圧部２７２による押圧状態を解除した状態で、付勢取付部材２７１の前側に配され、圧縮コイルばね１８２，１８２の他端部が固定された後述する表示枠ユニット１７０を後方に押すか、裏機構枠１６０の裏面側から付勢取付部材２７１を後方へ引っ張ることで、後方向に移動させることができる。ここで、図８（ａ）に示すように、案内部２７０ｂ，２７０ｂの後端部は閉鎖されており、付勢取付部材２７１の後側への移動範囲は、付勢取付部材２７１の裏面が案内部２７０ｂ，２７０ｂの後端部に当接する位置までとなる。すなわち、この位置が付勢取付部材２７１の後位置となる。
【００７６】
図６，９に示すように、表示枠ユニット収納部１６８の後面を形成する背面壁２６３の前面には、上述した付勢取付部材移動部２７０や、本体部１６１を補強するための補強リブ１６４が形成されている。なお、背面壁２６３の裏面側の下部には、前方に窪んで後方に開口した凹部である演出制御装置配設部１６５が形成されており、表示枠ユニット収納部１６８の後面であって下部は、演出制御装置配設部１６５の裏面によって形成されている。
【００７７】
補強リブ１６４は、前側に突出した演出制御装置配設部１６５と付勢取付部材移動部２７０が存在する部分を除いた部分に格子状に形成されている。なお、付勢取付部材移動部２７０および補強リブ１６４の前端部と、演出制御装置配設部１６５の裏面は、それぞれ同じ前後位置、すなわち、同一平面上に存在する。
【００７８】
そして、左右の周囲壁１６７とそれを延長するガイド部１６２により形成される表示枠ユニット収納部１６８の左右の内側面には、表示枠ユニット１７０の外周部を構成している表示枠ユニット本体１７２の左右の側部にそれぞれ設けられるとともに、前記左右の側部の上部及び下部の合わせて４カ所から外側（左側もしくは右側）に突出する後述の被スライド部１８，１８，…を前後に移動自在に案内する概略溝状のスライド部１６９，１６９，…が設けられている。
【００７９】
スライド部１６９，１６９，…は、４つの被スライド部１８，１８，…に対応して左右の内周面にそれぞれ上下２本ずつ前後方向に延在して設けられている。また、上側のスライド部１６９，１６９はその上部に、下側のスライド部１６９，１６９はその下部にそれぞれ前後方向に沿った突条１６９ａが形成され、溝状のスライド部１６９と合わせて被スライド部１８の上下移動を規制して前後に案内するようになっている。なお、スライド部１６９の前端は、ガイド部１６２の前端部より僅かに後方となっており、スライド部１６９の前端部には、溝状のスライド部１６９前端部を閉塞した状態として、該前端部より前側への表示枠ユニット１７０（被スライド部１８）の移動を規制する前方位置規制部材１８０が形成されている。
【００８０】
表示枠ユニット収納部１６８には、画像表示面１７１が前側（開口した側）となるように表示枠ユニット１７０が配設されるようになっている。そして、図１に示すように、裏機構枠１６０を遊技盤１の裏面に臨むように配することで、遊技盤１の裏面側に表示枠ユニット１７０の画像表示面１７１（図７に図示）が臨むようになる。なお、裏機構枠１６０が遊技盤１の裏面に臨む状態にあるとき、表示枠ユニット１７０は遊技盤本体１０の裏面から後方側へ隔離した位置に配されるようになっている。また、この表示枠ユニット収納部１６８の上下幅および左右幅は、表示枠ユニット１７０の上下幅および左右幅（ただし左右に突出する被スライド部１８を除く）よりも大きくなっており、表示枠ユニット１７０の周囲に空間があいた状態とされる。さらに、溝状のスライド部１６９の上下幅は被スライド部１８の上下幅よりも若干大きく、また、左右に対向して形成されたスライド部１６９，１６９間の幅は、表示枠ユニット１７０の左右に形成された被スライド部１８，１８の側端部間の幅よりも若干大きくなっている。
【００８１】
これによって、表示枠ユニット１７０の前後方向への移動が容易になるとともに、表示枠ユニット１７０が表示枠ユニット収納部１６８内で僅かに傾斜した状態になることも可能となるが、基本的に後述するように、表示枠ユニット１７０が付勢部材をなす圧縮コイルばね１８２，１８２により前側に付勢された状態で、位置調整部材１３７，１３８により被位置調整部２０，２１の位置が決定されることで、表示枠ユニット１７０（表示ユニット１７３）の角度も決定される。
【００８２】
表示枠ユニット１７０は、図２，７に示すように、前面側が開口した矩形箱状（額縁状）に形成された表示枠ユニット本体１７２と、この矩形箱状の表示枠ユニット本体１７２の、前面側が前記開口により開放された空間である内部収納空間１８３内に配置される表示ユニット１７３と、前記表示枠ユニット本体１７２の前面側で前記内部収納空間１８３の前側を覆う透明な前面クリアカバー１７９とからなるものである。
【００８３】
表示枠ユニット本体１７２は、被スライド部１８，１８，…を有し、裏機構枠１６０の表示枠ユニット収納部１６８内において前後動自在に配される。また、表示枠ユニット本体１７２の内部収納空間１８３は、その形状が前後幅が狭い略直方体状、すなわち、略矩形板状となっている。この内部収納空間１８３の上下左右幅は、後述する表示ユニット１７３の上下左右幅よりも広いものとなっており、表示ユニット１７３が内部収納空間１８３内で上下左右方向に移動可能となっている。また、内部収納空間１８３の前面側から見て左側の端部においては、後述する被スライド部１８，１８の前面側から見て右側の端部が内部収納空間１８３側に突出するように形成されており、内部収納空間１８３の左端部における上下の角部は、矩形状に切り取られた形状となっている。言い換えれば、内部収納空間１８３の左端部は、被スライド部１８，１８の間にある部分だけが左側に突出した形状となっている。
【００８４】
被スライド部１８，１８，…は表示枠ユニット本体１７２の左右の側部であって、上部及び下部の合わせて４ヶ所から外側に突出するように設けられている。
このうち、表示枠ユニット本体１７２の左右の側部であって上部に設けられた被スライド部１８，１８は、側部の上端部から下側に所定間隔おいた位置に、側部に対して垂直に外側へ突出するように設けられている。この上側の被スライド部１８，１８は略直方体形状であって、概略溝状のスライド部１６９，１６９に配される先端側の前後の角部は丸められている。そして、この先端側にはそれぞれ、カバー部材１８ａが取り付けられている。このカバー部材１８ａは、摩擦係数が低い材質（例えば、ポリアセタール、金属）からなり、表示枠ユニット１７０の前後方向の移動を容易にするものであって、裏機構枠１６０の表示枠ユニット収納部１６８に形成されたスライド部１６９と接する被スライド部１８の端面（外側に位置する側面）と上面、前面およびこれらの面が接続する角部を覆うようになっている。
【００８５】
また、カバー部材１８ａにおいて、被スライド部１８の丸められた角部（端面と前面が接続する角部）を覆う部分は、滑らかな曲面とされており、スライド部１６９内で被スライド部１８がより滑らかに移動できるようになっている。なお、カバー部材１８ａにおける被スライド部１８の前面を覆う部分は、カバー部材１８ａを被スライド部１８に固定するための部分であって、ここにはねじ孔１８ｂが形成されており、カバー部材１８ａをねじによって被スライド部１８に固定できるようになっている。
【００８６】
表示枠ユニット本体１７２の下部に設けられた被スライド部１８，１８は、表示枠ユニット本体１７２の側部の下端部から側部に対して垂直に外側へ突出し、さらに端部が下方に延出した略Ｌ字形となっている。そして、被スライド部１８の下方に延出した側の端部における下側の外側部は外側に突出していて、この突出した部分が概略溝状のスライド部１６９に配されるようになっている。この突出した部分も上述と同様に前後の角部が丸められており、摩擦係数が低い材質からなるカバー部材１８ａが、外側の側面と下面、前面およびこれらの面が接続する角部を覆うように取り付けられている。さらに、カバー部材１８ａにおいて、被スライド部１８の丸められた角部（端面と前面が接続する角部）を覆う部分は、滑らかな曲面とされており、スライド部１６９内で被スライド部１８がより滑らかに移動できるようになっている。また、各被スライド部１８の内部には、補強のためのリブ１８ｃが形成されている。
【００８７】
また、表示枠ユニット本体１７２の側壁の内側、すなわち、内部収納空間１８３の内側となる部分であって、側壁を挟んで被スライド部１８，１８，…と対向する部分には、ねじ止め部（ボス）１８ｄ，１８ｄ，…が形成されていて、内部収納空間１８３の前面側の開口を閉鎖する前面クリアカバー１７９をねじによって表示枠ユニット本体１７２の前面側に固定できるようになっている。
【００８８】
前面クリアカバー１７９は、内部収納空間１８３の前面側の開口と略同じ大きさの透明な材質からなる略矩形板状の部材で、上述のように表示枠ユニット本体１７２の前面側に固定されるようになっている。この前面クリアカバー１７９は、内部収納空間１８３の前面側の開口を閉鎖する前面壁としての機能を有し、表示枠ユニット１７０の前面側から後述の表示ユニット１７３（画像表示面１７１）を視認可能な状態で、表示ユニット１７３を内部収納空間１８３内に保持するものである。また、前面クリアカバー１７９は、表示枠ユニット１７０の前面壁としての機能も有し、図９に示すように、裏機構枠１６０を閉鎖し、付勢取付部材２７１を前位置に配した状態では、前面クリアカバー１７９の前面がセンターケース１１の後端部１６（遊技盤１の裏面当接部）に当接し、表示用窓部１２を閉鎖するようになっている。すなわち、前面クリアカバー１７９は、液晶表示パネル１７５の画像表示面１７１を、センターケース１１の後端部１６や遊技球の接触に伴う衝撃から保護するものでもあるとともに、遊技盤１の裏面当接部と当接する当接部をなす。
【００８９】
また、前面クリアカバー１７９の前面から見て左側の側部には、上下方向の中央に切欠き１７９ａが形成されており、ここから表示ユニット１７３に形成された後述する第１の被位置調整部２１が前面側に露出するようになっている。なお、内部収納空間１８３の左側の端部であって、被スライド部１８，１８の間に延出した部分の前面は前面クリアカバー１７９によって覆われず、その前面側が開口したままの状態となる。
【００９０】
また、図８（ａ）に示すように、表示枠ユニット本体１７２の裏面には、付勢部材としての圧縮コイルばね１８２，１８２を取り付けるためのばね装着筒１７８，１７８が形成されている。
【００９１】
ばね装着筒１７８，１７８は、表示枠ユニット本体１７２の裏面側に、後方に突出するように形成された円筒状の凸部である。このばね装着筒１７８，１７８の外径は、付勢部材としての圧縮コイルばね１８２の内径と略等しく、それぞれのばね装着筒１７８に圧縮コイルばね１８２を嵌合することで、表示枠ユニット本体１７２の裏面（表示枠ユニット１７０の裏面）に圧縮コイルばね１８２が取り付けられる。なお、図示しない固定部材によって圧縮コイルばね１８２の一端はばね装着筒１７８に固定されるようになっている。
【００９２】
このばね装着筒１７８が形成される位置は、表示枠ユニット１７０を表示枠ユニット収納部１６８に取り付けたときに、背面壁２６３に形成された付勢取付部材移動部２７０に前後移動可能に収容された付勢取付部材２７１の付勢部材収納部１８１と対向する位置となっている。そして、圧縮コイルばね１８２は、その一端が表示ユニット１７３を備える表示枠ユニット１７０のばね装着筒１７８に固定され、他端が付勢部材収納部１８１に固定されることで、表示枠ユニット１７０と付勢取付部材２７１とを連結することとなる。
【００９３】
付勢部材としての圧縮コイルばね１８２に外部から力がかかっていない状態での長さ（自然長）は、付勢取付部材２７１を後位置に配した際に、表示ユニット１７３の当接部である、前面クリアカバー１７９の前面、後述の第１、第２の被位置調整部２１，２０が、遊技盤１の裏面当接部である、センターケース１１の後端部１６、第１、第２の位置調整部１３８，１３７に当接しないような長さとされている。すなわち、付勢取付部材２７１が後位置にある際には、表示ユニット１７３の当接部と遊技盤１の裏面当接部が当接しない状態となる。これにより、遊技盤１の着脱や裏機構枠１６０の開閉作業時に付勢力が働くことがなく、作業が行いやすくなる。なお、付勢取付部材２７１の後方向への移動は、表示枠ユニット１７０を前面側から押すか、裏機構枠１６０の裏面側から付勢取付部材２７１を手で引っ張ることにより行う。
【００９４】
以上のことから、付勢取付部材２７１を後位置に移動した場合に、表示ユニット１７３が該表示ユニット１７３の当接部（前面クリアカバー１７９、第１の被位置調整部２１、第２の被位置調整部２０）と遊技盤１の裏面当接部（センターケース１１の後端部１６、第１の位置調整部材１３８、第２の位置調整部材１３７）とが当接しない位置に後退するようにしたこととなる。
【００９５】
また、付勢部材としての圧縮コイルばね１８２に外部から力がかかっていない状態での長さ（自然長）は、付勢取付部材２７１を後位置から前位置に移動させる過程において、表示ユニット１７３の当接部が、遊技盤の１裏面当接部に当接する長さとされている。
なお、後述するように、圧縮コイルばね１８２の付勢力によって遊技盤１の裏面当接部に表示ユニット１７３の当接部が押し付けられることで、センターケース１１の後端部１６が前面クリアカバー１７９の前面に密着するようになる。さらに、第１の位置調整部材１３８と第１の被位置調整部２１、第２の位置調整部材１３７と第２の被位置調整部２０が当接して表示ユニット１７３の位置調整が行われるようになる。よって、圧縮コイルばね１８２の長さは、付勢取付部材２７１を前位置に配した際に、表示ユニット１７３（表示枠ユニット１７０）に十分な付勢力を与えられるような長さにすることが好ましい。また、このような長さにした場合、付勢取付部材２７１を後位置に配しても、表示ユニット１７３の当接部が遊技盤１の裏面当接部に当接してしまう可能性があるが、この状態における付勢力が遊技盤１の着脱や裏機構枠１６０の開閉作業に影響のない弱い力であれば問題ない。
【００９６】
また、図７に示すように、表示枠ユニット本体１７２の側壁であって、前面側から見て上側の側壁には、表示枠ユニット本体１７２の内部収納空間１８３に収納される表示ユニット１７３に設けられた後述する第２の被位置調整部２０を、内部収納空間１８３の外側に露出させるための切欠き１８６が形成されている。なおこの切欠き１８６は、表示ユニット１７３が内部収納空間１８３内で上下左右に移動しても、第２の被位置調整部２０が表示枠ユニット本体１７２に接触しないように形成されている。
さらに、表示枠ユニット本体１７２の前面側から見て右側の側壁の外側であって、上下の被スライド部１８，１８の間には、インバータ取付部１８７が形成され、液晶表示パネル１７５のバックライトのインバータ１８８が取り付けられている。
【００９７】
表示ユニット１７３は、表示枠ユニット本体１７２の内部収納空間１８３内に収まるような矩形板状に形成されている。この表示ユニット１７３は、液晶表示パネル１７５を収納する前面側が開口した箱状の表示ユニットケース１７４と、この表示ユニットケース１７４内に収納された液晶表示パネル１７５とからなるものであり、表示ユニットケース１７４の前面側から液晶表示パネル１７５の画像表示面１７１を有する前面が露出している。また、表示ユニット１７３の前後幅は、表示枠ユニット本体１７２の前面クリアカバー１７９で閉塞された内部収納空間１８３の前後幅より僅かに短くされているが、表示枠ユニット本体１７２内で表示ユニット１７３は、ほとんど前後動できない状態で保持される。
【００９８】
また、表示ユニット１７３の上下幅及び左右幅（ただし、上方に突出する後述の第２の被位置調整部２０を除く）は、表示枠ユニット本体１７２の内部収納空間１８３の上下幅及び左右幅より短くされており、後述するように、センターケース１１の表示用窓部１２に対して、表示ユニット１７３（液晶表示パネル１７５）の画像表示面１７１を位置合わせできる程度に、表示枠ユニット本体１７２の内部収納空間１８３内で表示ユニット１７３を少しだけ上下左右に移動自在となっている。
【００９９】
また、表示ユニットケース１７４の左側縁部には、外側に突出するようにベース部１９４が形成され、その前面に遊技盤１の裏面当接部である第１の位置調整部材１３８に当接する当接部をなす第１の被位置調整部２１が形成されている。ベース部１９４は、表示ユニットケース１７４の前後幅と略同じ前後幅を有する矩形板状で、表示ユニットケース１７４の左側縁部に沿って、上下方向の中央に位置するように形成されている。そして、このベース部１９４の前面に形成された第１の被位置調整部２１は、一側面がベース部１９４の左側縁部に沿うように形成された直方体の前端部を、ベース部１９４の左側縁部に沿った側面から、対向する右側面２１ｂに向かって後方に傾斜するような傾斜面２１ａとした、断面が台形の柱状となっており、ベース部１９４の上下方向の中央に形成されている。
【０１００】
この第１の被位置調整部２１は、表示ユニット１７３を表示枠ユニット本体１７２の内部収納空間１８３に収納した際に、内部収納空間１８３の前面を覆う前面クリアカバー１７９の左端部に形成された切欠き１７９ａから前方側に突出するようになっている。また、第１の被位置調整部２１の前面側から見て右側の側面２１ｂの前端部（傾斜面２１ａとの接続部）の前後位置は、表示ユニット１７３を表示枠ユニット本体１７２の内部収納空間１８３に収容し、前面クリアカバー１７９を取り付けた際に、前面クリアカバー１７９の前面と同じ前後位置となるようにされている。
【０１０１】
また、第１の被位置調整部２１の傾斜面２１ａにおけるベース部１９４の前面に対する傾斜角度は、上述した第１の位置調整部材１３８の傾斜面１３８ａにおける遊技盤本体１０の裏面に対する傾斜角度と同じ角度（例えば、互いに４５度）とされている。さらに、第１の被位置調整部２１の傾斜面２１ａおよび第１の位置調整部材１３８の傾斜面１３８ａにおける傾斜方向は、左右方向に沿い、かつ、前面側から見て右側の端部が対向する側の端部より後側に位置するような傾斜方向とされている。よって、後述するように、裏機構枠１６０を遊技盤１の裏面に配した状態（閉鎖した状態）として、両者を対向するように配したときに、互いの傾斜面１３８ａ，２１ａが密着できるようになっている。
【０１０２】
ベース部１９４における第１の被位置調整部２１の上下には、内部収納空間１８３内で表示ユニット１７３を前面側から見て右方向に付勢する表示ユニット付勢手段２５０が設けられている。この表示ユニット付勢手段２５０は、ベース部１９４に形成された取付凹部２５１と、ここに収納される付勢部材としての図示しない圧縮コイルばね、可動部材２５３とからなる。
【０１０３】
取付凹部２５１は、ベース部１９４の左右方向に沿って延在する前側が開口した凹部であって、左側端側には、ベース部１９４の左側端面に開口する開口部が形成されている。この開口部の大きさは、後述する可動部材２５３の押圧部２５５を挿通できる程度の大きさとされている。
【０１０４】
可動部材２５３は、主部２５４と、主部２５４の一側端から延出するように形成された円柱状の押圧部２５５を有している。また、主部２５４は、取付凹部２５１に左右方向に沿って形成された図示しない溝部にスライド可能に嵌合可能な係合部を有し、これによって可動部材２５３が取付凹部２５１内でスライド可能に保持されるようになっている。また、取付凹部２５１内には、可動部材２５３とともに圧縮コイルばねが収容され、これにより可動部材２５３は左方向（開口部方向）に付勢されるようになっている。
【０１０５】
そして、可動部材２５３が圧縮コイルばね２５２によって左方向に付勢されることで、円筒形状の押圧部２５５が、取付凹部２５１の左側端に形成された開口部から外側に突出するようになる。なお、開口部は押圧部２５５を挿通できる程度の大きさとされており、可動部材２５３が取付凹部２５１内で最も左側に位置するときには、押圧部２５５は開口部から突出するが、主部２５４は開口部を通過できずに係止され、左方向への移動が規制された状態となる。なお、圧縮コイルばね２５２に外部から力がかかっていない状態では、このように可動部材２５３が取付凹部２５１内で最も左側に位置するようになっている。
【０１０６】
以上のような表示ユニット付勢手段２５０は、取付凹部２５１に対して、可動部材２５３が、左右方向に沿ってスライド可能に嵌合し、さらに、圧縮コイルばね２５２によって左方向に付勢されていることで、押圧部２５５が、左右方向に移動可能で、かつ、左方向に付勢された状態で開口部から突出した状態となる。そして、表示ユニット１７３の左側方に押圧部２５５がこのように突出することで、押圧部２５５の先端面が内部収納空間１８３を形成する表示枠ユニット本体１７２の左側壁の内側面に当接し、内部収納空間１８３内において表示ユニット１７３を前面側から見て右方向に付勢する。このように、前面側から見て右方向へ付勢されている表示ユニット１７３の右側面２１ｂに、後述するように、第１の位置調整部材１３８の後端部に形成されたリブ１３８ｂが係合して表示ユニット１７３の右方向への移動を規制することで表示ユニット１７３の左右位置が調整されることとなる。
【０１０７】
ここで、押圧部２５５の長さ及び突出幅は、第１の被位置調整部２１、第１の位置調整部材１３８によって、表示ユニット１７３の左右方向の位置調整がなされていない状態（例えば、付勢取付部材２７１を後位置に配した状態や裏機構枠１６０を開放した状態）において、表示ユニット１７３を内部収納空間１８３の右端側に押し付けた状態で保持できるように設定されている。なお、内部収納空間１８３の右端側に押し付けた状態とは、内部収納空間１８３を形成する表示枠ユニット本体１７２の右側壁の内側面に形成された、前面クリアカバー１７９を取り付けるためのボス１８ｄ，１８ｄに、表示ユニット１７３の右側端が当接した状態である。
【０１０８】
表示ユニットケース１７４の上側縁部には、遊技盤１の裏面当接部である第２の位置調整部材１３７に当接する当接部をなす第２の被位置調整部２０が設けられている。この第２の被位置調整部２０は、表示ユニットケース１７４の上側縁部に配され、かつ、表示枠ユニット本体１７２の上側縁より外方に延出する鎹状のローラ取付部材２０ａと、該ローラ取付部材２０ａに回動可能に支持される円柱状のローラ２０ｂとを有する。
【０１０９】
表示ユニットケース１７４の上側縁部に配される第２の被位置調整部２０のローラ取付部材２０ａは、上側縁部の左右方向の中央にあって、上方に延出する２つの延出部２０ｃ，２０ｃを有する。この各々の延出部２０ｃ，２０ｃの先端部には、ローラ２０ｂを軸支する軸受け２０ｄ，２０ｄが上側縁部の左右方向に沿って延在するように形成されており、この２つの軸受け２０ｄ，２０ｄによって円柱状のローラ２０ｂの両端部を回動可能に支持することで、上側縁部の左右方向に沿ってローラ２０ｂが配される。
【０１１０】
また、鎹状のローラ取付部材２０ａは、その２つの延出部２０ｃ，２０ｃのうち一方の延出部２０ｃを有し、表示ユニットケース１７４に固定された固定部２０ｅと、他方の延出部２０ｃを有し、表示ユニットケース１７４から着脱可能な着脱部２０ｆとからなる。
【０１１１】
よって、ローラ２０ｂを取り付ける際には、着脱部２０ｆを取り外した状態で、ローラ２０ｂの一端を固定部２０ｅ側に設けられた延出部２０ｃの軸受け２０ｄに挿入し、その後、ローラ２０ｂの他端を着脱部２０ｆ側に設けられた延出部２０ｃの軸受け２０ｄに挿入するとともに、着脱部２０ｆを表示ユニットケース１７４に取り付ける。また、着脱部２０ｆにはねじ孔２０ｇが形成されており、着脱部２０ｆをねじによって表示ユニットケース１７４に固定することで、ローラ２０ｂが回動可能に軸支されるようになる。
【０１１２】
第２の被位置調整部２０は、表示ユニット１７３を表示枠ユニット本体１７２の内部収納空間１８３に収納した際に、表示枠ユニット本体１７２の側壁に形成された切欠き１８６から外側に突出するようになっている。さらに、第２の被位置調整部２０は、表示枠ユニット１７０を裏機構枠１６０の表示枠ユニット収納部１６８に収納した際に、表示枠ユニット収納部１６８の内周と、表示枠ユニット１７０の外周との間となる間隔に配置されるようになっている。また、第２の被位置調整部２０のローラ２０ｂの前部は、表示枠ユニット１７０の前面をなす前面クリアカバー１７９の前面と同じ前後位置に配置されるようになっている。
【０１１３】
そして、裏機構枠１６０を遊技盤１の裏面に配した状態（閉鎖した状態）において、遊技盤１に形成された第２の位置調整部材１３７と対向するようになっている。
なお、後述するように、第２の被位置調整部２０のローラ２０ｂが第２の位置調整部材１３７の誘導ガイド部１３７ａによって係合固定部１３７ｂに案内されることで表示ユニット１７３の上下位置が調整される。この際、ローラ２０ｂが回動可能であることで、表示ユニット１７３がスムーズに所定位置へ誘導される。
【０１１４】
以上のような第１の被位置調整部２１、第２の被位置調整部２０によって、後述するように表示用窓部１２に対する表示ユニット１７３（液晶表示パネル１７５）の画像表示面１７１の位置が適切な位置に調整される。
【０１１５】
また、表示ユニット１７３の前面側の外周縁部となる左右の側縁部には、それぞれ上下二カ所に、切欠き状の第１前面滑り部材取付部が形成され、ここに第１前面滑り部材１７６が設けられている。この第１前面滑り部材１７６は、前面クリアカバー１７９の裏面に当接する滑り面を有する滑り部１７６ａと、後述する液晶表示パネル１７５を表示ユニットケース１７４内に固定するための表示パネル固定部（図示略）とを有する。
【０１１６】
滑り部１７６ａの前部は、表示ユニットケース１７４の外周縁部の前端面よりも前側に突出するように配されており、表示ユニット１７３を表示枠ユニット本体１７２の内部収納空間１８３に収納し、前面クリアカバー１７９を取り付けた際に、前面クリアカバー１７９の裏面に当接するようになっている。この滑り部１７６ａの前部は、摩擦係数が低い材質（例えば、ポリアセタールや金属）により構成されており、前面クリアカバー１７９との摩擦抵抗を減少させることで、表示ユニット１７３の内部収納空間１８３内での上下左右方向への移動を円滑にするものである。
【０１１７】
また、第１前面滑り部材１７６の表示パネル固定部は、表示ユニットケース１７４の側壁の前端面より液晶表示パネル１７５の厚みの分だけ後方側となる位置に、表示ユニットケース１７４内に突出するように配されている。この表示パネル固定部には、ねじによって液晶表示パネル１７５を表示ユニットケース１７４内に固定するためのねじ止め部（ボス）が形成されている。
【０１１８】
表示ユニットケース１７４の左側縁部に形成されたベース部１９４の上下側面であって、表示ユニットケース１７４の左側縁部と接続する角部には、上述の第１前面滑り部材１７６と同様に、前面クリアカバー１７９との摩擦抵抗を減少させ、表示ユニット１７３の上下左右方向への移動を円滑にする第２前面滑り部材１９５が設けられている。この第２前面滑り部材１９５は、前面側が開口した凹部１９５ａに、例えば、遊技球のような球体１９５ｂが転動自在に収納された構成となっている。また、球体１９５ｂの前面側の一部は、凹部１９５ａの前端よりも突出し、第１前面滑り部材１７６の滑り部１７６ａの前部と略同じ前後位置に位置するようになっており、第１前面滑り部材１７６の滑り部１７６ａの前部とともに前面クリアカバー１７９の裏面に当接するようになっている。なお、球体１９５ｂの前端の方を第１前面滑り部材１７６の滑り部１７６ａの前部よりも前方に突出させて、球体１９５ｂのみを前面クリアカバー１７９に当接させても良い。
また、表示枠ユニット本体１７２の前面にも、第２前面滑り部材１９５と同様の構成を有する図示しない裏面滑り手段が設けられており、この裏面滑り手段が内部収納空間１８３に配される表示ユニット１７３の裏面に当接することで、表示ユニット１７３の上下左右方向への移動をより円滑にするようにしている。
【０１１９】
ここで、表示ユニット１７３の後端部をなす表示ユニットケース１７４の裏面から、表示ユニット１７３の前端部をなす第１前面滑り部材１７６の滑り部１７６ａ前面および第２前面滑り部材１９５の球体１９５ｂの前端までの幅は、内部収納空間１８３における裏面滑り手段の球体の前端から前面クリアカバー１７９の裏面までの幅と略等しい幅となっている。よって、表示ユニット１７３が表示枠ユニット本体１７２の内部収納空間１８３に収納された状態では、表示ユニット１７３の裏面側に裏面滑り手段の球体の前端が当接するとともに、前面クリアカバー１７９の裏面に第１前面滑り部材１７６の滑り部１７６ａの前端および第２前面滑り部材１９５の球体１９５ｂの前端が当接した状態となり、内部収納空間１８３内での表示ユニット１７３の前後移動が規制されるようになっている。一方、表示ユニット１７３は、第１前面滑り部材１７６、第２前面滑り部材１９５及び裏面滑り手段によって、前面および裏面における摩擦抵抗が軽減されるようになっており、表示枠ユニット本体１７２の前面と前面クリアカバー１７９とにより前後をほぼ挟まれた状態であっても、円滑に内部収納空間１８３内で上下左右に移動可能となっている。
【０１２０】
また、表示ユニットケース１７４の裏面には、表示ユニットケース１７４内に収納される液晶表示パネル１７５と、裏機構枠１６０の裏面側に配される演出制御装置３３とを接続する配線を通すための、前後に貫通した配線用開口（図示略）が形成されている。この配線用開口は、液晶表示パネル１７５の裏面側に設けられた図示しないコネクタ部の位置に対応して形成されており、液晶表示パネル１７５を表示ユニットケース１７４内に収納すると、この配線用開口からコネクタ部が露出するようになっている。
【０１２１】
図７に示すように、液晶表示パネル１７５は矩形板状であって、表示ユニットケース１７４内にちょうど収まる大きさとなっている。この液晶表示パネル１７５は、液晶表示器とバックライトなどから構成され、画像表示面１７１が、前側に臨むように配されている。よって、液晶表示パネル１７５の画像表示面１７１は、表示枠ユニット１７０の前面側から前面クリアカバー１７９を介して視認可能に配されることとなる。
【０１２２】
また、液晶表示パネル１７５の前面側であって、画像表示面１７１の左右には、それぞれ上下二カ所にねじ孔１９３，１９３，…が形成されている。このねじ孔１９３，１９３，…は、前後方向に貫通するように形成されており、液晶表示パネル１７５を表示ユニットケース１７４内に収納した状態で、このねじ孔１９３，１９３，…にねじを挿通し、表示ユニットケース１７４に設けられた第１前面滑り部材１７６のねじ止め部に螺合することで液晶表示パネル１７５を表示ユニットケース１７４内に固定できるようになっている。
【０１２３】
画像表示面１７１の面積は、前面枠本体１３０に形成された開口部に嵌め込まれた遊技盤１の上側略半分を裏面側から覆うことができる面積となっており、センターケース１１によって形成された表示用窓部１２よりも広いものである。すなわち、画像表示面１７１の面積が、少なくとも表示用窓部１２よりも広く、表示用窓部１２の大きさが変化してもそれに対応できるようになっている。このように、画像表示面１７１が遊技盤１の裏面側を幅広く覆うようにすることで、遊技盤１を交換して遊技機１００の遊技内容を変更する場合に、多種の遊技盤１の表示用窓部１２に対応できるようになっている。
【０１２４】
また、画像表示面１７１の面積は表示用窓部１２よりも広いので、表示用窓部１２から露出する領域に画像が表示されるように演出制御装置３３によって制御されている。この画像を表示する領域を決定する遊技盤１の表示用窓部１２の大きさや位置に関する情報は、遊技制御装置３０に記憶されているが、遊技制御装置３０は遊技盤１に取り付けられており、遊技盤１と一緒に遊技制御装置３０も交換される。よって、遊技盤１の交換に伴い、例えば、これまでの遊技盤の表示用窓部に対応した画像表示領域から、新たな遊技盤１の表示用窓部１２に対応した画像表示領域に変更できるようになっている。
【０１２５】
以上のような構成によって、液晶表示パネル１７５を備えた表示ユニット１７３は、表示枠ユニット１７０に上下左右方向に移動可能に保持され、表示枠ユニット１７０は、裏機構枠１６０に前後移動可能に保持されることとなる。すなわち、表示ユニット１７３は裏機構枠１６０に前後、上下、左右方向へ移動可能に保持されていることとなる。
【０１２６】
次に、表示ユニット１７３の位置調整について図８，９を参照して説明する。表示ユニット１７３の位置調整は、例えば、裏機構枠１６０を閉めた状態で遊技盤１を前面枠１２０にその前面側から取り付ける場合、もしくは、メンテナンスなどのために前面枠本体１３０に遊技盤１が取り付けられた状態で裏機構枠１６０を開放した状態から閉鎖した状態とする場合に行われる。
ここでは、一例として、裏機構枠１６０を閉鎖した状態で遊技盤１を前面枠１２０に取り付ける場合における表示ユニット１７３の位置調整について説明する。なお、すでに開口部から古い遊技盤１が取り外されており、裏機構枠１６０は、前面枠本体１３０の裏面側に表示ユニット１７３が臨む状態（閉鎖した状態）とされているものとする。さらに、表示制御装置をなす演出制御装置３３を収納したボックス３３ａは後側に回動した状態となっていて、付勢取付部材２７１は後位置に配されているものとする。
【０１２７】
図８（ａ）に示すように、遊技盤１を前面枠本体１３０の開口部１３１に取り付ける際には、まず、開口部１３１の一側部に設けられた係止部材１３４の先端部を遊技盤１に形成された係止受部１５に入れるように、遊技領域１ａが形成された面を前側にして遊技盤１を開口部１３１の前側から開口部１３１に対して斜めに挿入する。なお、係止受部１５の遊技盤１の側端部側に形成された側壁１５ａは、他の部分の側壁に比べ低く形成されており、係止部材１３４の先端部を係止受部１５に入れやすくなっている。
【０１２８】
次に、係止部材１３４の先端部と係止受部１５の接点を軸として、遊技盤１を遊技機１００の後方側へ回動させながら開口部１３１に嵌め込む。この過程においては、係止受部１５の遊技盤１の側端部側に形成された側壁１５ａが、係止部材１３４の先端部と係合するので、係止部材１３４が係止受部１５から外れることなく容易に遊技盤１を回動させることができる。
【０１２９】
係止部材１３４はこの過程において、初めは先端部が前側に移動するように弾性変形し、遊技盤１を後方向へ付勢した状態となる。そして遊技盤１を回動させるのに伴い、弾性変形した状態から徐々に元の状態に戻ることとなる。しかし、上述したように、遊技盤１の係止受部１５が形成された部分の厚みは、係止部材１３４の先端部と規制壁１３３との間隔より厚いため、遊技盤１が開口部１３１に完全に嵌め込まれた状態では、係止部材１３４の先端部が係止受部１５を後方向に押圧した状態となる。すなわち、係止部材１３４は、常に遊技盤１を後方向に付勢した状態となる。
【０１３０】
また、遊技盤裏面の側端部であって、係止受部１５が形成された側の側端部は、遊技盤１を回動させる過程において、上述のように係止部材１３４によって後方向に付勢されることにより、規制壁１３３の前面に当接しながら、遊技機１００の左右方向に沿って開口部１３１の外側方向へ移動する。そして、この側端部側の遊技盤１の側面が、位置決め部材１３６の側面に当接したところで、この側端部の遊技盤１の左右方向に沿った移動が規制されるとともに、規制壁１３３の前面が遊技盤１の裏面と接した状態となって、遊技盤１が開口部１３１に完全に収容された状態となる。
【０１３１】
また、遊技盤裏面の側端部であって、係止受部１５が形成された側とは反対側の側端部は、遊技盤１を回動させる過程において位置決め部材１３６の斜辺に当接し、この斜辺に沿って開口部１３１の内側方向へ案内される。さらに遊技盤１の側端部は、斜辺に沿って斜辺の開口部１３１内側の端部まで案内されると、この斜辺に連続する位置決め部材１３６の側面に沿って遊技機１００の後方側へ案内される。そして、規制壁１３３の前面に遊技盤１の裏面が接したところで後方向への移動が規制されるとともに、この側端部に連続する遊技盤１の側面が、位置決め部材１３６の側端部に当接するようになって遊技盤１が開口部１３１に完全に収容された状態となる。
【０１３２】
図８（ｂ）に示すように、遊技盤１が開口部１３１に完全に嵌め込まれたら、遊技盤固定部材１３５の固定部１３５ｂを固定部材受部１９に当接するように回動させ遊技盤１を開口部１３１内に固定する。
遊技盤１が完全に開口部１３１に嵌め込まれた状態においては、遊技盤１の裏面側に規制壁１３３が当接し、係止部材１３４が係止受部１５を後方向に押圧することと、遊技盤固定部材１３５が固定部材受部１９に当接することで遊技盤１の前後方向の移動が規制される。また、位置決め部材１３６の側端部が遊技盤１の側端部に接することで、遊技盤１の左右方向の移動が規制される。
【０１３３】
このように遊技盤１を開口部１３１に取り付ける作業の前に、付勢取付部材２７１を付勢取付部材移動部２７０内で後位置に配しておくことで、遊技盤１の裏面当接部が表示ユニット１７３の当接部に当接しない状態となる。よって、付勢部材（圧縮コイルばね１８２）の付勢力による前方向への力（遊技盤１の取り付け方向とは逆の方向への力）を受けることがなく、容易に遊技盤１を取り付けることができる。
【０１３４】
遊技盤１を開口部１３１に取り付けたら、後方向に回動していたボックス３３ａを演出制御装置配設部１６５に収納するように前方向へ回動させる。この過程において、押圧部２７２の押圧部材２７４が、付勢取付部材移動部２７０内で後位置にある付勢取付部材２７１の裏面に当接するとともに、ボックス３３ａの回動に伴って前方向に付勢取付部材２７１を押圧する。
【０１３５】
上述したように、ボックス３３ａは、裏機構枠１６０の裏面側から見て右側の端部が裏機構枠１６０に回動可能に軸支されているので、ボックス３３ａに設けられた押圧部２７２の押圧部材２７４は、ボックス３３ａが軸着された部分を中心とした円弧状の経路を移動する。よって、押圧部材２７４が付勢取付部材２７１の裏面に当接する当初は、ボックス３３ａを演出制御装置配設部１６５に収納した際に押圧部材２７４が当接する付勢取付部材２７１の左右方向の中央よりも、ボックス３３ａが軸着された側（裏面側から見て右側）に当接し、ここから裏面に沿って左右方向の中央へ向かって（左側へ）移動するようになる。ここで、押圧部材２７４は、押圧部材取付部２７３に対してその延在方向に沿った軸を中心として回動可能に取り付けられているので、このように付勢取付部材２７１の裏面に当接したまま横方向へ移動する場合でも、スムーズに移動できるようになっている。また、ボックス３３ａは、裏機構枠１６０に一側部が軸着されているので、押圧部２７２で付勢取付部材２７１を前方向に移動させる際に、後述するように圧縮コイルばね１８２の付勢力がかかっても、その付勢力に抗して容易に移動させることができる。
【０１３６】
表示枠ユニット収納部１６８に前後動自在に配された表示枠ユニット１７０は、付勢部材（圧縮コイルばね１８２）を介して付勢取付部材２７１と連結されており、付勢取付部材２７１を前方向に移動するのに伴って表示枠ユニット１７０も前方向に移動する。また上述したように、付勢部材の長さ（自然長）は、付勢取付部材２７１を後位置から前位置に移動させる過程において、表示ユニット１７３の当接部が、遊技盤の１裏面当接部に当接する長さとされている。よって、ボックス３３ａを演出制御装置配設部１６５に収容する前に、開口部１３１に取り付けられた遊技盤１の裏面当接部に表示ユニット１７３の当接部が当接することとなる。
【０１３７】
遊技盤１は開口部１３１に固定された状態となっているので、表示ユニット１７３の当接部が遊技盤１の裏面当接部に当接した状態で、さらに付勢取付部材２７１を前方向に移動させると圧縮コイルばね１８２が退縮する。すなわち、表示枠ユニット１７０は遊技盤１の後方突出量に応じた位置に配されることとなる。また、圧縮コイルばね１８２が退縮することで、表示枠ユニット１７０を前方向に付勢する付勢力が発生し、遊技盤１の裏面当接部に表示ユニット１７３の当接部が押し付けられる状態となる。
【０１３８】
図９に示すように、ボックス３３ａが完全に演出制御装置配設部１６５に収納された状態においては、付勢取付部材２７１が前位置に配された状態となり、付勢部材としての圧縮コイルばね１８２の付勢力によって、遊技盤１の裏面当接部に表示ユニット１７３の当接部が押し付けられた状態となる。この状態で、裏機構枠１６０に設けられた押圧部固定部材２７５の固定部２７５ｂを、押圧部材２７４の裏面側に当接可能な状態にして押圧部材２７４を固定する。これによって、付勢取付部材２７１が前位置に配された状態で固定されることとなる。すなわち、押圧部２７２と押圧部固定部材２７５が付勢取付部材２７１を前位置に固定する固定手段をなす。
また、ボックス３３ａに設けられた操作手段２６８を操作して係合部２６７を突出させ、演出制御装置配設部１６５に設けられた固定部材２６５の凹部２６６に係合させる。さらに、裏機構枠１６０に設けられた表示制御装置固定部材２７６の固定部２７６ｂを、ボックス３３ａの裏面に当接可能な状態にすることでボックス３３ａを演出制御装置配設部１６５に固定する。
【０１３９】
また、ボックス３３ａを演出制御装置配設部１６５に収容することで、演出制御装置３３のコネクタ部３３ｍと演出データ装置３２のコネクタ部３２ｆが接続されて両者が直接接続されることとなる。そして、コネクタ部３３ｍの両側に設けられたワンタッチ着脱式の固定部材３３ｄ，３３ｄを、演出データ装置３２に形成された取付穴３２ｉ，３２ｉに押し込むことで、両装置のコネクタ３２ｆ，３３ｍを確実に連結する。
【０１４０】
以上のことから、裏機構枠１６０の裏面側には、表示ユニット１７３を制御する表示制御装置（演出制御装置３３）を取り付ける表示制御装置取付部（演出制御装置配設部１６５）が設けられ、表示制御装置には、付勢取付部材２７１を裏面側から押圧する押圧部２７２が設けられ、固定手段（押圧部２７２、押圧部固定部材２７５）は、表示制御装置を表示制御装置取付部に取り付ける際に押圧部２７２が付勢取付部材２７１を前方に押圧し、表示制御装置を表示制御装置取付部に取り付けると付勢取付部材２７１が前位置に固定されるように構成したこととなる。
【０１４１】
また、表示制御装置（演出制御装置３３）は、表示制御装置取付部（演出制御装置配設部１６５）に一側を軸着し、他側を表示制御装置固定部材２７６により固定するようにしたこととなる。
【０１４２】
付勢取付部材２７１を前方向に移動させることに伴い、表示ユニット１７３の当接部をなす前面クリアカバー１７９の前面、第１の被位置調整部２１、第２の被位置調整部２０は、それぞれ遊技盤１の裏面当接部をなす、センターケース１１の後端部１６、第１の位置調整部材１３８、第２の位置調整部材１３７に当接する。このうち、前面クリアカバー１７９の前面は、センターケース１１の後端部１６に面接触して密着した状態となり、センターケース１１により形成される表示用窓部１２を介して、遊技盤１の前面から画像表示面１７１を見ることができるようになる。また、第１の被位置調整部２１は第１の位置調整部材１３８に当接し、表示ユニット１７３の左右方向の位置調整が行われる。そして、第２の被位置調整部２０は第２の位置調整部材１３７に当接し、表示ユニット１７３の上下方向の位置調整が行われる。
【０１４３】
ここで、第１の被位置調整部２１と第１の位置調整部材１３８による表示ユニット１７３の左右方向の位置調整、および、第２の被位置調整部２０と第２の位置調整部材１３７による表示ユニット１７３の上下方向の位置調整について説明する。
なお、図８，９では、第１、第２の被位置調整部２１，２０および第１、第２の位置調整部材１３８，１３７の図示を省略している。また、後述する図１０，１１，１２においても、第１、第２の被位置調整部２１，２０および第１、第２の位置調整部材１３８，１３７の図示を省略しているが、基本的には図８，９に示す遊技機と同様の位置調整が行われる。
【０１４４】
第１の被位置調整部２１が形成された表示ユニット１７３は、内部収納空間１８３内において上下左右方向に移動可能に、かつ、表示ユニット付勢手段２５０によって前面側から見て右方向に付勢されており、第１の位置調整部材１３８が当接しない状態では、左右方向の移動範囲における最も右側に位置している。そして、付勢取付部材２７１を前方向に移動させるのに伴って表示枠ユニット１７０が前方向に移動することにより、第１の位置調整部材１３８の前面側から見て右側の端部に形成されたリブ１３８ｂおよび傾斜面１３８ａ（図３に図示）の一部が、第１の被位置調整部２１の前面をなす傾斜面２１ａに当接する。
【０１４５】
なお、表示ユニット１７３の左右方向の移動範囲における最も右側の位置は、第１の位置調整部材１３８のリブ１３８ｂが第１の被位置調整部２１の傾斜面２１ａに当接できるような位置に設定されている。また、表示ユニット１７３を前面側から見て右方向に付勢する表示ユニット付勢手段２５０を備えたことにより、遊技盤１が前面枠１２０へ装着されていない場合における表示ユニット１７３の第１の被位置調整部２１の位置、すなわち、第１の位置調整部材１３８が第１の被位置調整部２１に作用を開始する位置を正確に設定することができ、確実に第１の位置調整部材１３８を第１の被位置調整部２１に作用させることができる。
【０１４６】
さらに表示枠ユニット１７０が前方向に移動すると、第１の位置調整部材１３８のリブ１３８ｂおよび傾斜面１３８ａの一部に、第１の被位置調整部２１の傾斜面２１ａが押し付けられる状態となる。第１の被位置調整部２１の傾斜面２１ａは、前面側から見て右側に向かって後方に傾斜しているので、傾斜面２１ａを第１の位置調整部材１３８のリブ１３８ｂおよび傾斜面１３８ａの一部に押し付けると、第１の被位置調整部２１は左向きの力を受ける。これによって、第１の被位置調整部２１を備える左右方向に移動可能な表示ユニット１７３が、表示ユニット付勢手段２５０の付勢力に抗して左方向に移動することとなる。また、第１の位置調整部材１３８が傾斜面２１ａの傾斜に沿って表示枠ユニット１７０に近づくように後方向に移動するので、遊技盤１と表示枠ユニット１７０との距離が徐々に近くなる。
【０１４７】
なお、このとき表示ユニット付勢手段２５０においては、表示ユニット１７３が左向きの力を受けるのに伴い、ベース部１９４の左方に突出した押圧部２５５が、圧縮コイルばねの付勢力に抗して取付凹部２５１内に（右方向に）押し込まれる。
【０１４８】
そして、第１の被位置調整部２１が上述のように左方向に移動し、第１の被位置調整部２１の傾斜面２１ａが第１の位置調整部材１３８のリブ１３８ｂより左側に移動すると、リブ１３８ｂは第１の被位置調整部２１の右側面２１ｂに当接するようになるとともに、第１の被位置調整部２１の傾斜面２１ａと第１の位置調整部材１３８の傾斜面１３８ａが面接触するようになる。
【０１４９】
ここで、リブ１３８ｂが第１の被位置調整部２１の右側面２１ｂに当接した状態では、第１の被位置調整部２１における傾斜面２１ａの前面側から見た右端と、第１の位置調整部材１３８における傾斜面１３８ａの前面側から見た右端とが対向して接している状態となっている。そして、上述したように、第１の被位置調整部２１における傾斜面２１ａの右端の前後位置は、前面クリアカバー１７９の前面と同じ前後位置であり、第１の位置調整部材１３８における傾斜面１３８ａの右端の前後位置は、第１の位置調整部材１３８とともに遊技盤１の裏面当接部をなすセンターケース１１の後端部１６（遊技盤１の後端部）と同じ前後位置となっている。
【０１５０】
このため、リブ１３８ｂが第１の被位置調整部２１の右側面２１ｂに当接した状態では、センターケース１１の後端部１６に前面クリアカバー１７９の前面が面接触する状態となり、これ以上遊技盤１と表示枠ユニット１７０の距離が近くなることはない。よって、第１の被位置調整部２１は第１の位置調整部材１３８に押し付けられることに基づく左向きの力を受けなくなり、表示ユニット１７３は表示ユニット付勢手段２５０による右方向への付勢力によって右側に戻ろうとする。しかし、リブ１３８ｂが第１の被位置調整部２１の右側面２１ｂに当接することで、表示ユニット１７３の右方向への移動を規制しているため、表示ユニット１７３はこの状態で保持され、左右位置が固定されることとなる。そして、付勢取付部材２７１を付勢取付部材移動部２７０内の前位置で固定することによって、この位置で表示ユニット１７３の左右方向への移動および前後方向への移動が規制されて略固定された状態となる。この略固定された左右位置および前後位置は、セッティング後の使用時の表示枠ユニット１７０の左右位置および前後位置となる。
【０１５１】
また、表示枠ユニット１７０が前方向に移動することにより、遊技盤１の裏面当接部をなす第２の位置調整部材１３７に当接した表示ユニット１７３の当接部をなす第２の被位置調整部２０のローラ２０ｂは、Ｖ字状の溝である誘導ガイド部１３７ａの内部傾斜面に沿って溝の中央部の係合固定部１３７ｂに誘導される。
すなわち、表示枠ユニット１７０の上にほぼ水平に配置された第２の被位置調整部２０のローラ２０ｂは、第２の位置調整部材１３７の断面Ｖ字状の誘導ガイド部１３７ａにより上下方向に案内され、断面半円状の溝である係合固定部１３７ｂ内に円柱状のローラ２０ｂが係合するようになる。なお、ローラ２０ｂは軸受け２０ｄ，２０ｄによって回動可能に軸支されているので、容易に係合固定部１３７ｂに誘導される。
【０１５２】
上述したように、ローラ２０ｂを有する被位置調整部２０は、表示枠ユニット１７０の内部収納空間１８３内で上下左右方向に移動可能に保持された表示ユニット１７３に設けられており、ローラ２０ｂが係合固定部１３７ｂに誘導され係合することで、表示ユニット１７３の上下位置が決められることになる。
【０１５３】
さらに、表示枠ユニット１７０が前方向に付勢されていることから、誘導ガイド部１３７ａとしてのＶ字状の溝の中央部（Ｖ字状の溝の谷底の部分）に形成された係合固定部１３７ｂに係合したローラ２０ｂは、上下方向への移動および前方向への移動が規制されて略固定された状態となる。そして、付勢取付部材２７１を付勢取付部材移動部２７０内の前位置で固定することによって、この位置で表示ユニット１７３の上下方向への移動および前後方向への移動が規制されて略固定された状態となる。この略固定された左右位置および前後位置は、セッティング後の使用時の表示枠ユニット１７０の上下位置および前後位置となる。
【０１５４】
以上のことから、位置調整部（第２の位置調整部材１３７）は、遊技盤１の裏面から後方側に突出形状であってその後端部がＶ字状の溝（誘導ガイド部１３７ａ）を有し、被位置調整部が溝（誘導ガイド部１３７ａ）の内部傾斜面に誘導されて該溝の中央部（係合固定部１３７ｂ）に移動することで、表示ユニット１７３が適正位置に移動するようにしたこととなる。
【０１５５】
また、被位置調整部（第２の被位置調整部２０）は、溝（誘導ガイド部１３７ａ）の内部傾斜面において誘導される際に回転可能なローラ２０ｂを有することとなる。
【０１５６】
なお、第２の位置調整部材１３７の係合固定部１３７ｂがセンターケース１１の後端部１６と略同じ前後位置にあることと、第２の被位置調整部２０のローラ２０ｂの前端部と前面クリアカバー１７９の前面（表示枠ユニット１７０の前面）が略同じ前後位置にあることから、センターケース１１の後端部１６に前面クリアカバー１７９の前面が面接触するとともに、ローラ２０ｂが係合固定部１３７ｂに係合するようになっている。
【０１５７】
このように第１の位置調整部材１３８によって第１の被位置調整部２１が、第２の位置調整部材１３７によって第２の被位置調整部２０が保持され、表示ユニット１７３の前後左右上下位置が正確に決められると、センターケース１１の表示用窓部１２から露出する表示ユニット１７３の画像表示面１７１（画像表示領域）の位置が正確に決まることになる。これにより、画像表示面１７１に表示される画像と、表示用窓部１２との位置がずれるようなことがなく、表示用窓部１２から位置ずれのない画像を見ることができる。すなわち、このときの表示ユニット１７３の位置が表示用窓部１２に対する適正位置である。
【０１５８】
以上のように、遊技盤１を前面枠本体１３０に固定し、表示ユニット１７３（表示枠ユニット１７０）と平行になった状態で遊技盤１の裏面当接部と表示ユニット１７３の当接部とを当接させるように構成したことで、表示ユニット１７３にかかる力の方向が付勢部材（圧縮コイルばね１８２）の伸縮方向に沿った方向となり、表示枠ユニット１７０がスムーズに前後方向に移動できる。また、第１、第２の位置調整部材１３８，１３７と第１、第２の被位置調整部２１，２０による表示ユニット１７３の位置調整も、両者が平行な状態で当接することから確実に行われることとなる。特に、遊技盤１の取付方法が、上述のように前面枠本体１３０に係止された一側部を軸として回動させるような場合に、遊技盤１の取り付けと同時に表示枠ユニット１７０を後方へ押し込むような構成とすると、表示枠ユニット１７０に斜めの力が加わって傾いてしまう可能性があるが、上述のような構成とすることでこれを避けることができる。
【０１５９】
以上のことから、遊技領域１ａを形成する遊技盤１を前面枠１２０に対して着脱可能に配設し、該遊技盤前面の所要領域において遊技に関わる表示ゲームを表示するようにした遊技機１００において、前面枠１２０における遊技盤１の後方に位置し、表示ゲームを実行する表示ユニット１７３と、表示ユニット１７３を、前後にスライド可能に支持するとともに、前後にスライド可能な空間（表示枠ユニット収納部１６８）を有する裏機構枠１６０と、裏機構枠１６０に一端部を取り付けるとともに、表示ユニット１７３に他端部を取り付け、該表示ユニット１７３を前方側に付勢する付勢部材（圧縮コイルばね１８２）と、を備え、遊技盤１を前面枠１２０に装着して、該遊技盤１を表示ユニット１７３の前方に位置させた場合に該遊技盤１の裏面当接部（センターケース１１の後端部１６、第１の位置調整部材１３８、第２の位置調整部材１３７）と表示ユニット１７３の当接部（前面クリアカバー１７９、第１の被位置調整部２１、第２の被位置調整部２０）とが当接可能に構成し、裏機構枠１６０は、付勢部材を取り付ける付勢取付部材２７１と、付勢取付部材２７１を前位置に固定する固定手段（押圧部２７２、押圧部固定部材２７５）と、付勢取付部材２７１を前位置から後方に移動可能な付勢取付部材移動部２７０と、を備えたこととなる。
【０１６０】
なお、上述の遊技機１００では、前面枠１２０に遊技盤１を前側から取り付ける構成としたが、遊技盤１を前面枠１２０に後側から取り付ける（或いはサイドからスライド挿入する）構成としても良い。この場合は、前面枠１２０に遊技盤１を装着した後に裏機構枠１６０を閉鎖することとなるが、その後の操作は上述と同様である。また、上述のように遊技盤１を前側から取り付ける構成であっても、メンテナンス等の場合に裏機構枠１６０を開放した場合は、再び裏機構枠１６０を閉鎖した後、上述の操作を行う。
【０１６１】
また、上述の遊技機１００では、裏機構枠１６０を開閉可能としたが、前面枠１２０に遊技盤１を前側から取り付ける構成の場合は、開閉できない裏機構枠１６０であってもよい。
【０１６２】
また、付勢部材は圧縮コイルばねに限られるものではなく、付勢力を有するものであれば、ばね以外でもよい。
【０１６３】
また、ボックス３３ａに押圧部２７２を設けずに、ボックス３３ａ自体で付勢取付部材２７１を前方向に押圧するようにしても良い。すなわち、付勢取付部材２７１が前方に移動してできる空間を演出制御装置配設部１６５に含んでも良い。
【０１６４】
また、上述の遊技機１００では、表示ユニット１７３を右方向に付勢し、第１の位置調整部材１３８、第１の被位置調整部２１により、表示ユニット１７３を付勢力に抗して左方向に移動させることで位置調整するとしたが、左右を逆にしても良い。すなわち、表示ユニット１７３を左方向に付勢し、第１の位置調整部材１３８、第１の被位置調整部２１における傾斜面１３８ａ，２１ａの傾斜方向を逆に（前面側から見て左側の端部が対向する側の端部より後側に位置するような傾斜方向）して、表示ユニット１７３を付勢力に抗して右方向に移動することで位置調整をするようにしても良い。
【０１６５】
また、上述の遊技機１００では、表示ユニット１７３が左右方向および上下方向に移動可能な構成としたが、左右方向または上下方向の一方向のみに移動可能な構成としても良い。すなわち、遊技盤１の裏面にはセンターケース１１の左側（上側）にのみ位置調整部材１３８（１３７）を設け、また、表示ユニット１７３には左側（上側）にのみ被位置調整部２１（２０）を設けるようにすることで、表示ユニット１７３を左右（上下）方向のみに移動可能とする構成としても良い。また、このように、表示ユニット１７３を左右（上下）方向のみに移動可能とする構成とした場合に、例えば、表示ユニット１７３の内部収納空間１８３内での上下（左右）方向の移動を規制するガイドを設けたり、内部収納空間１８３の上下（左右）幅を表示ユニット１７３の上下（左右）幅と略同じ幅にしたりすることにより、表示ユニット１７３が確実に左右（上下）方向のみに移動するようにしても良い。
【０１６６】
以上のことから、表示ユニット１７３が臨み表示ゲームを表示する表示用窓部１２を遊技盤１に形成し、表示ユニット１７３は、左右方向および／または上下方向に移動可能に裏機構枠１６０に配設され、遊技盤１の裏面当接部を表示ユニット１７３の位置を調整可能な位置調整部（第１の位置調整部材１３８、第２の位置調整部材１３７）で構成するとともに、表示ユニット１７３の当接部を該位置調整部に対応する被位置調整部（第１の被位置調整部２１、第２の被位置調整部２０）で構成し、付勢取付部材２７１の前位置への移動時に、位置調整部が被位置調整部に作用して、表示ユニット１７３が遊技盤１の表示用窓部１２に対する適正位置に移動するようにしたこととなる。
【０１６７】
次に、付勢取付部材２７１を前位置に固定する固定手段の変形例について図１０を参照して説明する。なお、ここでは、ボックス３３ａに押圧部２７２を設けず、付勢取付部材２７１を手で前位置に移動させるものとする。また、これに伴い、押圧部２７２を固定する押圧部固定部材２７５は設けられていないものとする。
【０１６８】
この固定手段２８０は、背面壁２６３の裏面側であって案内部２７０ｂの左右側面の外側にそれぞれ設けられ、案内部２７０ｂの側壁に形成された挿通部２８１から、付勢取付部材移動部２７０の内部に出没可能な固定部材２８２を有する。固定部材２８２は、案内部２７０ｂの側面に形成された挿通部２８１にちょうど嵌る断面形状を有し、背面壁２６３の裏面側に、固定部材２８２の幅と略同じ間隔をおいて設けられた保持部材２８３と背面壁２６３の裏面との間に、背面壁２６３の裏面に沿って左右方向に移動可能に設けられている。また、固定部材２８２の挿通部２８１に挿通される側と対向する側の端部は、直角に屈折して形成されており、固定部材２８２は、この部分が裏機構枠１６０の後方に向かって延出するように配されている。この直角に屈折した部分は、固定部材２８２を付勢取付部材移動部２７０内に突出した状態としたときに、保持部材２８３の端部に係合するようになっており、固定部材２８２が抜け落ちないようにする機能を有する。また、固定部材２８２を操作する際の取っ手としての機能も有する。
【０１６９】
以上のような固定手段２８０を備えた遊技機１００においても、上述と同様に遊技盤１の取り付けを行い、図１０（ａ）に示すように、遊技盤１と表示ユニット１７３（表示枠ユニット１７０）が平行な状態で付勢取付部材２７１を前位置に移動させる。このとき、手で付勢取付部材２７１を前位置に移動させるようにしたので、上述のように押圧部２７２により前位置に移動させる場合よりも、より平行な状態で遊技盤１の裏面当接部と表示ユニット１７３の当接部を当接させることができる。
【０１７０】
そして、図１０（ｂ）に示すように、付勢取付部材２７１を前位置に移動した後、付勢取付部材移動部２７０内に固定部材２８２を突出させて、付勢取付部材２７１の後方向への移動を規制し、付勢取付部材２７１を前位置に固定する。すなわち、固定手段２８０は、付勢取付部材２７１を前方向に移動させ、遊技盤１の裏面当接部と表示ユニット１７３の当接部が当接するとともに、圧縮コイルばね１８２が退縮して付勢力が発生した状態で、付勢取付部材２７１の後方向への移動を規制し、遊技盤１と表示ユニット１７３が当接した状態を保持するようになっている。
【０１７１】
なお、図１０（ｂ）に示すように、固定部材２８２を付勢取付部材移動部２７０内に突出させた状態において、固定部材２８２の移動を規制する固定具を設け、不用意に固定手段２８０による付勢取付部材２７１の前位置への固定が解除されないようにしても良い。
また、図１０（ａ）に示すように、固定部材２８２を付勢取付部材移動部２７０から退避させた状態において、直角に屈折した部分の外側に当接する部材を設けて固定部材２８２の移動範囲を規制するようにし、固定部材２８２が抜け落ちないようにしても良い。
また、この固定手段２８０を設けた場合でも、ボックス３３ａに押圧部２７２を設け、これによって、付勢取付部材２７１を前位置に移動させるようにしても良い。
また、付勢取付部材移動部２７０内に演出制御装置３３（ボックス３３ａ）を取り付けることで、付勢取付部材２７１を前位置に移動するようにしても良い。
また、固定部材２８２を付勢取付部材移動部２７０内に突出させる方向に付勢する付勢部材を設け、前位置に付勢取付部材２７１を移動させると固定部材２８２が自動的に突出して固定されるようにしても良い。
【０１７２】
次に、図１１，１２を参照して、裏機構枠１６０の変形例について説明する。なお、基本的には、上述の裏機構枠１６０と略同様の構成を有しており、以下異なる部分を中心に説明する。
上述の裏機構枠１６０においては、遊技盤１を前面枠１２０に固定し、表示ユニット１７３と平行な状態で遊技盤１の裏面当接部と表示ユニット１７３の当接部が当接するように構成し、表示枠ユニット１７０の前後移動や、表示ユニット１７３の位置調整がスムーズに行われるようにしていた。本変形例における裏機構枠１６０では、図１１（ａ）に示すように、表示ユニット１７３（表示枠ユニット１７０）をあらかじめ傾けた状態とし、表示ユニット１７３の当接部と遊技盤１の裏面当接部が当接する際の角度の差を小さくして、表示枠ユニット１７０の前後移動や、表示ユニット１７３位置調整がスムーズに行われるようにしている。
【０１７３】
この裏機構枠１６０においては、表示枠ユニット収納部１６８の左右に設けられたスライド部１６９，１６９，…のうち、裏機構枠１６０の前面側から見て左側にあるスライド部１６９，１６９の長さが対向する側のスライド部１６９，１６９の長さより短くなっている。なお、スライド部１６９，１６９の長さが短くされた側は、遊技盤１を取り付ける際に遊技盤１の一側部を係止する係止部材１３４が設けられた側である。また、裏機構枠１６０の前面側から見て右側にあるスライド部１６９，１６９の前端部には、前方に向かって表示枠ユニット収納部１６８の内側に傾斜する傾斜面を有する誘導部材２８４，２８４が設けられている。
【０１７４】
また、付勢部材としての圧縮コイルばね１８２の一端が固定された付勢取付部材２７１が、裏機構枠１６０の背面壁２６３に固定され、前後動しない状態となっている。よって、ボックス３３ａに設けられていた押圧部２７２や、押圧部２７２を固定する押圧部固定部材２７５は設けられていない。さらに、付勢部材としての圧縮コイルばね１８２に外部から力がかかっていない状態での長さ（自然長）は、表示枠ユニット１７０の被スライド部１８の前面が前方位置規制部材１８０に当接し、表示枠ユニット１７０が最も前側にある状態における表示枠ユニット１７０の裏面と付勢部材収納部１８１の後端部との距離よりも長く、常に表示枠ユニット１７０を前側に付勢できるようになっている。
【０１７５】
以上のような構成を有する裏機構枠１６０は、表示ユニット１７３の当接部に遊技盤１の裏面当接部が当接していない状態において、図１１（ａ）に示すように、被スライド部１８の前面が前方位置規制部材１８０に当接した状態となる。そして、左右のスライド部１６９，１６９の長さが異なることから、表示枠ユニット１７０は前面側から見て左側がより後方に位置するように傾いた状態、すなわち、遊技盤１の一端部を係止する係止部材１３４が設けられた側であって遊技盤取付時の回動軸側に傾いた状態となる。さらに、前面側から見て右側のスライド部１６９，１６９に設けられた誘導部材２８４，２８４によって、表示枠ユニット１７０は左側に寄った状態となる。
【０１７６】
図１１に示す遊技機１００においても遊技盤１は上述と同様に、開口部１３１の前面側から見て左側に設けられた係止部材１３４に、遊技盤１の一側部を係止させ、この部分を軸として後方向に回動させるようにして、図１１（ｂ）に示すように、開口部１３１に嵌め込むようになっている。そして、遊技盤１を後方側に回動させる過程において、遊技盤１の後方に突出するセンターケース１１は、その後端部１６が表示枠ユニット１７０の前面である前面クリアカバー１７９の前面に当接する。また、遊技盤１の後方に突出する第１の位置調整部材１３８のリブ１３８ｂの後端部は、表示ユニット１７３の側方に設けられた第１の被位置調整部２１の傾斜面２１ａに当接する。さらに、遊技盤１の後方に突出する第２の位置調整部材１３７の誘導ガイド部１３７ａは、表示ユニット１７３の上方に設けられた第２の被位置調整部２０のローラ２０ｂに当接する。そして、遊技盤１を開口部１３１に嵌め込むために、さらに後方側に回動させるのに伴い、表示枠ユニット１７０は、付勢部材としての圧縮コイルばね１８２の付勢力に抗して後方向へ押し込まれることとなる。
【０１７７】
遊技盤１は、係止部材１３４によって係止された一側部を軸として回動するので、遊技盤１の裏面当接部と表示ユニット１７３の当接部のうち、センターケース１１の左側に設けられた第１の位置調整部材１３８が第１の被位置調整部２１に当接するとともに、センターケース１１の後端部１６における遊技盤１の回動軸に近い側の後端部１６が先に表示枠ユニット１７０の前面に当接する。すなわち、遊技盤１を回動させる過程の当初は、遊技盤１の傾きが大きいため、センターケース１１の後端部１６の一部が表示枠ユニット１７０の前面に当接した状態となる。しかし、遊技盤１の回動に伴い、裏機構枠１６０に対するセンターケース１１の後端部１６の傾きが小さくなると、これ以降は表示枠ユニット１７０の前面がセンターケース１１の後端部１６に面接触した状態となる。
【０１７８】
そして、遊技盤１は、回動させることで徐々に遊技機１００の左右方向に沿うようになり、遊技盤１が完全に開口部１３１に嵌め込まれた状態では、遊技機１００の左右方向に平行な状態となる。また、表示枠ユニット１７０の傾斜も、遊技盤１の傾斜に追従して徐々に遊技機１００の左右方向に沿うようになる。また、上述のように表示枠ユニット１７０が後方向に押し込まれるのと同時に、表示ユニット１７３の上下左右位置が上述したように所定位置に調整される。
【０１７９】
ここで、上述したように表示枠ユニット１７０は、遊技盤１の裏面当接部が当接していない状態において、遊技盤１の一端部を係止する係止部材１３４が設けられた側に傾いた状態となっているので、センターケース１１の後端部１６の一部が前面クリアカバー１７９の前面に当接した状態から短い期間で両者が面接触した状態となる。また、センターケース１１の後端部１６が前面クリアカバー１７９の前面に面接触した状態となると、第１の位置調整部材１３８と第１の被位置調整部２１に加え、第２の位置調整部材１３７と第２の被位置調整部２０も接触した状態となる。すなわち、遊技盤１の裏面当接部のうち係止部材１３４に近い側の一部が先に表示ユニット１７３の当接部に当接するが、すぐに両者が全体で当接するようになるので、表示ユニット１７３を圧縮コイルばね１８２の付勢力に抗して確実に押し込むことができる。また、先に表示ユニット１７３の当接部に当接した遊技盤１の裏面当接部の係止部材１３４に近い側の一部が、遊技盤１の回動に伴って表示ユニット１７３の当接部に対して移動する距離を少なくすることができ、確実に適正位置に配置されるようになる。
【０１８０】
遊技盤１を開口部１３１に嵌め込んだ状態としたら、開口部１３１の前面側から見て右側に設けられた遊技盤固定部材１３５によって遊技盤１を固定する。また、演出制御装置３３を収納したボックス３３ａを演出制御装置配設部１６５に固定し、演出制御装置３３と演出データ装置３２を接続する。
【０１８１】
以上のことから遊技領域１ａを形成する遊技盤１を前面枠１２０の遊技盤収納部（開口部１３１）に対して着脱可能に配設し、該遊技盤前面の所要領域において遊技に関わる表示ゲームを表示するようにした遊技機１００において、前面枠１２０の左右方向一側に、遊技盤１を係止する係止部材１３４を配設する一方、他方に遊技盤１を固定する遊技盤固定部材１３５を配設し、該遊技盤１の一方端を前面枠１２０前方側から係止部材１３４に係止させた状態で、他方端側を遊技盤固定部材１３５で固定可能な位置まで後方に回動させることで、当該遊技盤１を前面枠１２０に装着するように構成し、前面枠１２０における遊技盤１の後方位置に、表示ゲームを実行する表示ユニット１７３を設け、表示ユニット１７３は、前後にスライド可能であって前方側に付勢された状態で前面枠１２０側に配設されるとともに、遊技盤１を前面枠１２０に装着した際に、遊技盤１の裏面当接部（センターケース１１の後端部１６、第１の位置調整部材１３８、第２の位置調整部材１３７）と表示ユニットの当接部（前面クリアカバー１７９、第１の被位置調整部２１、第２の被位置調整部２０）とが当接可能に設けられ、表示ユニット１７３は、遊技盤１を取り付けない状態で、前方に移動した場合に、遊技盤１の係止側斜め前方を向くように構成されていることとなる。
【０１８２】
また、図１２に示す遊技機１００は、前面枠本体１３０に形成された開口部１３１に対して、裏面側から遊技盤１を着脱可能に嵌め込んで固定するようになっており、遊技盤１を取り付ける際には、図１２（ａ）に示すように、裏機構枠１６０を開放して取り付けた後、図１２（ｂ）に示すように、裏機構枠１６０を閉鎖する。また、表示枠ユニット１７０は、遊技盤１の裏面当接部に当接していない状態（裏機構枠１６０を開放した状態）において、裏機構枠１６０が軸着された側に傾いた状態となっている。
【０１８３】
遊技盤１を裏面側から取り付ける構成とされた遊技盤取付部をなす開口部１３１には、開口部１３１内の所定位置に遊技盤１を固定する部材として、規制壁１３３、後方押さえ部材２６２、位置決め部材１３６、遊技盤固定部材（図示略）が設けられている。規制壁１３３は図１１に示す遊技機１００と同様に、開口部１３１の内側面に対して垂直に開口部１３１の中心方向に延出する板状の部材であるが、前面枠本体１３０の開口部１３１周囲の後端部より遊技盤１の厚みの分だけ前側に設けられている。すなわち、規制壁１３３は、遊技盤１の前面に当接し、遊技盤１の前方向への移動を規制するものとなっている。なお、遊技盤１の前面に設けられた周囲構成部材１７の前面であって、規制壁１３３が当接する部分には凹部１７ａが形成されていて、遊技盤１を開口部１３１に収容した状態において、規制壁１３３がこの凹部１７ａに収容され、規制壁１３３の前面と周囲構成部材１７の前面とが略同一面となるようになっている。そして、このように遊技盤１が開口部１３１に収容された状態において、遊技盤１の裏面（遊技盤本体１０の裏面）が、前面枠本体１３０の開口部１３１周囲の後端部と略同じ前後位置に配されるように規制壁１３３の前後位置が設定されている。
【０１８４】
開口部１３１の左右にある規制壁１３３の裏面側には、遊技盤１の左右位置を決める位置決め部材１３６が設けられている。
開口部１３１の左右に設けられた位置決め部材１３６のうち、裏機構枠１６０が軸着された側の位置決め部材１３６は、矩形板状の部材であり、その板面が水平になるように、規制壁１３３の裏面と開口部１３１の内側面および後述する後方押さえ部材２６２の前面に接するように設けられている。なお、この位置決め部材１３６の開口部１３１の中心方向への突出幅は、規制壁１３３の突出幅よりも小さいものとなっている。
【０１８５】
また、開口部１３１の裏機構枠１６０が軸着された側と対向する側に設けられた位置決め部材１３６は、図１１に示す遊技機１００と同様に、長方形の１つの角が切り取られた形状をした板状の部材である。
この位置決め部材１３６は、その板面が水平になるように、規制壁１３３の裏面と開口部１３１の内側面に接し、角部が切り取られ斜辺となった部分が開口部１３１の内側かつ後側（遊技盤１が挿入される側）に配されるように設けられている。
【０１８６】
また、開口部１３１の開口部分を挟んで対向する位置決め部材１３６の側端部であって、開口部１３１の内側に位置する側端部間の間隔は、遊技盤１の左右幅と略同じとなっている。このような位置決め部材１３６によって、後述するように、遊技盤１の取付の際に、遊技盤１を開口部１３１の所定位置に案内することができるとともに、開口部１３１に完全に収容された遊技盤１の側面に当接して、遊技盤１の左右方向への移動を規制することができる。
【０１８７】
また、裏機構枠１６０が軸着された側であって、前面枠本体１３０の開口部１３１周囲の後端部には、遊技盤１の後端部に当接する後方押さえ部材２６２が設けられている。
この後方押さえ部材２６２は板状の部材であって、規制壁１３３と同様に開口部１３１の内側面に対して垂直に開口部１３１の中心方向へ突出するように設けられている。規制壁１３３と後方押さえ部材２６２の板面は互いに平行になっており、また、開口部１３１の内面からの突出幅も同じ幅となっている。また、板状の後方押さえ部材２６２の前面であって、開口部１３１の中心側にある端部は、先端に向かって後方に傾斜する傾斜面となっている。
【０１８８】
以上のことから、開口部１３１の裏機構枠１６０が軸着された側の内側面には、規制壁１３３と後方押さえ部材２６２および開口部１３１の内側面の一部とで、後述するように遊技盤１を開口部１３１に取り付ける際に、遊技盤１の一端部を挿入する挿入凹部１３９が形成されていることとなる。そして、この挿入凹部１３９内には、上述した遊技盤１の左右位置を決めるための位置決め部材１３６が設けられている。
【０１８９】
また、規制壁１３３の裏面には、所定箇所に図１１に示す遊技機１００と同様の構成を有する遊技盤固定部材（図示略）が設けられており、開口部１３１内に遊技盤１が固定されるようになっている。すなわち、遊技盤固定部材は、開口部１３１内に収容された遊技盤１の裏面に当接する状態と、遊技盤１の裏面から退避した状態とに変換可能な固定部を有し、これによって遊技盤の固定と解除を行うことができるようになっている。
【０１９０】
以上のように構成される遊技機１００に遊技盤１を取り付ける際には、まず、遊技盤１の前面側から見て左側の側端部を、遊技領域１ａが形成された面を前側にして、開口部１３１の後方側から挿入凹部１３９に斜めに挿入する。なお、挿入凹部１３９を形成する後方押さえ部材２６２の前面側の端部は傾斜面となっており、挿入凹部１３９に遊技盤１を入れやすくなっている。
【０１９１】
次に、挿入凹部１３９に挿入された部分を軸として、遊技盤１を遊技機１００の前方側に回動させながら開口部１３１に嵌め込む。この際、遊技盤１の挿入凹部１３９に挿入された側とは反対側の側端部が、位置決め部材１３６の斜辺に当接し、この斜辺に沿って開口部１３１の内側方向へ案内される。さらにこの側端部は、斜辺に沿って斜辺の開口部１３１内側の端部まで案内されると、斜辺に連続する位置決め部材１３６の側面に沿って遊技機１００の前方側へ案内される。そして、規制壁１３３の裏面に遊技盤１の前面が接したところで前方向への移動が規制されるとともに、この側端部に連続する遊技盤１の側面が、位置決め部材１３６の側端部に当接する。また、挿入凹部１３９に挿入された側の遊技盤１の側端部も、位置決め部材１３６の側端部に当接するようになり、遊技盤１が開口部１３１に完全に収容された状態となる。
【０１９２】
遊技盤１が開口部１３１に完全に嵌め込まれたら、遊技盤固定部材の固定部を遊技盤の裏面に当接するように回動させ遊技盤１を開口部１３１内に固定する。
遊技盤１が完全に開口部１３１に嵌め込まれた状態においては、規制壁１３３が遊技盤１の前面に当接し、遊技盤固定部材の固定部が遊技盤１の裏面に当接することで遊技盤１の前後方向の移動が規制される。また、位置決め部材１３６，１３６の側端部が遊技盤１の側端部に接することで、遊技盤１の左右方向の移動が規制される。
なお、左右の位置決め部材１３６，１３６の側端部間の寸法は、遊技盤１の左右方向の寸法よりも少しだけ大きくなっていることが望ましいが、この場合には遊技盤固定部材を、遊技盤１が左右に移動しないように固定できる構成とする（例えば、遊技盤１を左側に押圧して位置決め部材１３６の側端部に当接させることで、左右方向の移動を規制するような構成とする）。
【０１９３】
遊技盤１を開口部１３１内に固定したら、裏機構枠１６０を回動させ、表示枠ユニット１７０が遊技盤１の裏面側に配設されるようにする（裏機構枠１６０を閉鎖する）。裏機構枠１６０は、前面枠本体１３０に設けられた上下方向に延在する回動軸１３２を中心として回動するので、センターケース１１の後端部１６のうち、この軸に近い側の後端部が先に表示枠ユニット１７０の前面に当接する。ここで、上述したように表示枠ユニット１７０は、遊技盤１の裏面当接部に当接していない状態において、裏機構枠１６０が軸着された側に傾いた状態となっているので、センターケース１１の後端部１６の一部が前面クリアカバー１７９の前面に当接した状態から短い期間で両者が面接触した状態となる。また、センターケース１１の後端部１６が前面クリアカバー１７９の前面に面接触した状態となると、第１の位置調整部材１３８と第１の被位置調整部２１に加え、第２の位置調整部材１３７と第２の被位置調整部２０も接触した状態となる。すなわち、遊技盤１の裏面当接部のうち係止部材１３４に近い側の一部が先に表示ユニット１７３の当接部に当接するが、すぐに両者が全体で当接するようになるので、表示ユニット１７３を圧縮コイルばね１８２の付勢力に抗して確実に押し込むことができる。また、先に表示ユニット１７３の当接部に当接した遊技盤１の裏面当接部の係止部材１３４に近い側の一部が、裏機構枠１６０の回動に伴って表示ユニット１７３の当接部に対して移動する距離を少なくすることができ、確実に適正位置に配置されるようになる。
【０１９４】
なお、このように前面枠本体１３０に遊技盤１が取り付けられた状態で裏機構枠１６０を開放した状態から閉鎖した状態とする場合では、表示枠ユニット１７０の当接部である第１、第２の被位置調整部２０，２１が前方に移動するように動作することとなるが、遊技盤１と裏機構枠１６０は、相対的に遊技盤１を前側から取り付ける場合と略同じ動作をすることとなり、上述と同様に表示ユニット１７３の位置調整がなされる。
【０１９５】
すなわち、遊技盤１を前面枠１２０に取り付けることにより、遊技盤１の裏面が裏機構枠１６０に備えられた表示ユニット１７３の前面に臨む状態となる場合や、前面枠１２０に取り付けられた遊技盤１の裏面側を開放した状態から閉鎖した状態にする場合のように、表示ユニット１７３が遊技盤１の後方に位置づけられる際に、表示ユニット１７３の位置調整がなされる。そして、表示ユニット１７３の画像表示面１７１が表示用窓部１２に対して適正な位置に配されることとなる。なお、前面枠１２０に取り付けられた遊技盤１の裏面側を開放した状態から閉鎖した状態にする場合には、図１１に示すように遊技盤１を前面枠１２０の前方から装着するタイプにおいて、遊技盤裏面のメンテナンスなどの際に裏機構枠１６０を開放した場合を含む。
【０１９６】
以上のことから、遊技領域１ａを形成する遊技盤１を前面枠１２０の遊技盤収納部（開口部１３１）に対して着脱可能に配設し、該遊技盤前面の所要領域において遊技に関わる表示ゲームを表示するようにした遊技機１００において、前面枠１２０における遊技盤１の後方に位置し、表示ゲームを実行する表示ユニット１７３と、表示ユニット１７３を、前後にスライド可能に支持する裏機構枠１６０と、裏機構枠１６０に一端が取り付けられ、表示ユニット１７３を前方側に付勢する付勢部材（圧縮コイルばね１８２）と、を備え、遊技盤１を前面枠１２０に装着した際に該遊技盤１の裏面当接部（センターケース１１の後端部１６、第１の位置調整部材１３８、第２の位置調整部材１３７）と表示ユニット１７３の当接部（前面クリアカバー１７９、第１の被位置調整部２１、第２の被位置調整部２０）とが当接可能に構成し、裏機構枠１６０は、前面枠１２０に対して、左右方向一側が上下方向の回動軸１３２により開閉可能に軸着され、表示ユニット１７３は、遊技盤１を取り付けない状態で、前方に移動した場合に、一側斜め前方を向くように構成されていることとなる。
【０１９７】
なお、本変形例においては、表示枠ユニット収納部１６８内で表示枠ユニット１７０が一側斜め前方を向くようにするために、左右のスライド部１６９，１６９，…の長さを変えるようにしたが、これに限られるものではない。例えば、表示枠ユニット１７０の裏面に左右２つ設けた圧縮コイルばね１８２，１８２の長さを変えることで、表示枠ユニット収納部１６８内において表示枠ユニット１７０が一側斜め前方を向くようにしても良い。
【０１９８】
さらに、付勢手段として、例えば、表示枠ユニット１７０の左右の各々に固定部を形成して付勢部材として引張コイルばねの一端を固定し、裏機構枠１６０の表示枠ユニット１７０より前側となる位置であって、上記固定部の各々に対応する位置に、付勢部材の取付部を形成して引張コイルばねの他端を固定して、表示枠ユニット１７０を前方向に付勢するようにしても良い。
【０１９９】
以上のような遊技機１００は、遊技領域１ａを形成する遊技盤１を前面枠１２０に対して着脱可能に配設し、該遊技盤前面の所要領域において遊技に関わる表示ゲームを表示するようにした遊技機１００であって、前面枠１２０における遊技盤１の後方に位置し、表示ゲームを実行する表示ユニット１７３と、表示ユニット１７３を、前後にスライド可能に支持するとともに、前後にスライド可能な空間（表示枠ユニット収納部１６８）を有する裏機構枠１６０と、裏機構枠１６０に一端部を取り付けるとともに、表示ユニット１７３に他端部を取り付け、該表示ユニット１７３を前方側に付勢する付勢部材（圧縮コイルばね１８２）と、を備え、遊技盤１を前面枠１２０に装着して、該遊技盤１を表示ユニット１７３の前方に位置させた場合に該遊技盤１の裏面当接部（センターケース１１の後端部１６、第１の位置調整部材１３８、第２の位置調整部材１３７）と表示ユニット１７３の当接部（前面クリアカバー１７９、第１の被位置調整部２１、第２の被位置調整部２０）とが当接可能に構成し、裏機構枠１６０は、付勢部材を取り付ける付勢取付部材２７１と、付勢取付部材２７１を前位置に固定する固定手段（押圧部２７２、押圧部固定部材２７５）と、付勢取付部材２７１を前位置から後方に移動可能な付勢取付部材移動部２７０と、を備えている。
【０２００】
したがって、前面枠１２０における遊技盤１の後方に位置し、表示ゲームを実行する表示ユニット１７３と、表示ユニット１７３を前後にスライド可能に支持する裏機構枠１６０と、裏機構枠１６０に一端部を取り付けるとともに、表示ユニット１７３に他端部を取り付け、該表示ユニット１７３を前方側に付勢する付勢部材と、を備え、遊技盤１を前面枠１２０に装着して、該遊技盤１を表示ユニット１７３の前方に位置させた場合に該遊技盤１の裏面当接部と表示ユニット１７３の当接部とが当接可能に構成したので、表示ユニット１７３を再利用することができる。
すなわち、表示ユニット１７３が遊技盤１ではなく前面枠１２０側に設けられることとなり、遊技盤１を交換する場合でも、表示ユニット１７３は交換する必要がないので、表示ユニット１７３を新たな遊技盤１でも使用できる。また、遊技機１００の入れ替え時に遊技機全体を交換する場合でも、表示ユニット１７３は遊技盤１と別構成であるので、表示ユニット１７３を簡単に取り外せることから、表示ユニット１７３を再利用できる。
【０２０１】
また、裏機構枠１６０は、付勢部材を取り付ける付勢取付部材２７１と、付勢取付部材２７１を前位置から後方に移動可能な付勢取付部材移動部２７０とを備えるので、付勢取付部材２７１を前後動させることにより、表示ユニット１７３に作用する前方向への付勢力を変化させることができる。これにより、例えば、遊技盤１の装着時に表示ユニット１７３および遊技盤１に作用する付勢力を低減させることができ、作業が行いやすくすることができる。
また、付勢取付部材２７１を前位置に固定する固定手段を備えるので、付勢部材が最も大きい付勢力を表示ユニット１７３に与える位置に付勢取付部材２７１を固定でき、確実に表示ユニット１７３を前方向に付勢することができる。
【０２０２】
また、付勢取付部材２７１を後位置に移動した場合に、表示ユニット１７３が該表示ユニット１７３の当接部（前面クリアカバー１７９、第１の被位置調整部２１、第２の被位置調整部２０）と遊技盤１の裏面当接部（センターケース１１の後端部１６、第１の位置調整部材１３８、第２の位置調整部材１３７）とが当接しない位置に後退するようにしている。
【０２０３】
したがって、付勢取付部材２７１を後位置に移動した場合に、表示ユニット１７３が該表示ユニット１７３の当接部と遊技盤１の裏面当接部とが当接しない位置に後退するようにしたので、遊技盤１の裏面当接部に付勢力がかからない状態にすることができ、遊技盤１の取り付け等の作業が行いやすくなる。
【０２０４】
すなわち、表示ユニット１７３は付勢部材により前方向に付勢されており、遊技盤１の裏面側に配設した際には、遊技盤１の裏面当接部が付勢力に抗して表示ユニット１７３を押し込んだ状態となる。よって、表示ユニット１７３が遊技盤１の裏面に臨む状態とする際には、表示ユニット１７３を遊技盤１の裏面当接部で押し込む必要があるが、付勢力に抗してこのような作業を行うのは、作業が行いにくくなる虞がある。
しかし、付勢取付部材２７１を後位置に移動した場合に、表示ユニット１７３が該表示ユニット１７３の当接部と遊技盤１の裏面当接部とが当接しない位置に後退するようにしたことで、上記のような問題が発生することがなく作業が行いやすくなる。また、遊技盤１の一側を軸として回動するように取り付ける場合には、表示ユニット１７３に対して斜めに押し込む力が働き、表示ユニット１７３がうまくスライドしない虞があるが、このような問題も発生することなく作業が行いやすくなる。
なお、表示ユニット１７３が遊技盤１の裏面に臨む状態とする場合とは、遊技盤１を前面枠１２０の前側から取り付ける場合の他に、表示ユニット１７３を有する開閉可能な裏機構枠１６０を備える遊技機１００においては、遊技盤１を取り付けた状態で裏機構枠１６０を閉鎖する場合がある。
【０２０５】
また、裏機構枠１６０の裏面側には、表示ユニット１７３を制御する表示制御装置（演出制御装置３３）を取り付ける表示制御装置取付部（演出制御装置配設部１６５）が設けられ、表示制御装置には、付勢取付部材２７１を裏面側から押圧する押圧部２７２が設けられ、固定手段（押圧部２７２、押圧部固定部材２７５）は、表示制御装置を表示制御装置取付部に取り付ける際に押圧部２７２が付勢取付部材２７１を前方に押圧し、表示制御装置を表示制御装置取付部に取り付けると付勢取付部材２７１が前位置に固定されるように構成している。
【０２０６】
したがって、裏機構枠１６０の裏面側に設けられた表示制御装置には、付勢取付部材２７１を裏面側から押圧する押圧部２７２が設けられ、固定手段は、表示制御装置を表示制御装置取付部に取り付ける際に押圧部２７２が付勢取付部材２７１を前方に押圧し、付勢取付部材２７１を前位置に固定するように構成したので、確実に付勢取付部材２７１を前位置に固定することができる。
すなわち、表示制御装置は遊技機１００を使用するのに必要な装置であって、必ず表示制御装置取付部に取り付けられるものであり、ここに固定手段を設けたことで付勢取付部材２７１を前位置に固定する作業が確実に行われるようになる。
また、表示制御装置の取り付けと同時に付勢取付部材２７１の固定が行われることとなるので、作業性が向上する。
【０２０７】
また、表示制御装置（演出制御装置３３）は、表示制御装置取付部（演出制御装置配設部１６５）に一側を軸着し、他側を表示制御装置固定部材２７６により固定するようにしている。
【０２０８】
したがって、表示制御装置は、表示制御装置取付部に一側を軸着し、他側を表示制御装置固定部材２７６により固定するようにしたので、小さい力で付勢取付部材２７１を前位置に固定できる。
【０２０９】
また、表示ユニット１７３が臨み表示ゲームを表示する表示用窓部１２を遊技盤１に形成し、表示ユニット１７３は、左右方向および／または上下方向に移動可能に裏機構枠１６０に配設され、遊技盤１の裏面当接部を表示ユニット１７３の位置を調整可能な位置調整部（第１の位置調整部材１３８、第２の位置調整部材１３７）で構成するとともに、表示ユニットの当接部を該位置調整部に対応する被位置調整部（第１の被位置調整部２１、第２の被位置調整部２０）で構成し、付勢取付部材２７１の前位置への移動時に、位置調整部が被位置調整部に作用して、表示ユニット１７３が遊技盤１の表示用窓部１２に対する適正位置に移動するようにしている。
【０２１０】
したがって、表示ユニット１７３は、左右方向および／または上下方向に移動可能に裏機構枠１６０に配設され、遊技盤１の裏面当接部を位置調整部で構成するとともに、該表示ユニット１７３の当接部を該位置調整部材に対応する被位置調整部で構成し、付勢取付部材２７１の前位置への移動時に表示ユニット１７３が該遊技盤１の表示用窓部１２に対する適正位置に移動するようにしたので、表示用窓部１２から表示ユニット１７３の表示部のうち画像を表示する領域を確実に臨ませることが可能となる。
特に、付勢取付部材２７１の前位置への移動時に、位置調整部が被位置調整部に作用して表示ユニット１７３が適正位置に移動することとなるので、表示ユニット１７３と遊技盤１が平行な状態で表示ユニット１７３の位置調整作業が行われることとなり、位置調整作業が正確かつスムーズになって、遊技盤１の交換作業等の効率が向上する。
【０２１１】
また、位置調整部（第２の位置調整部材１３７）は、遊技盤１の裏面から後方側に突出形状であってその後端部がＶ字状の溝（誘導ガイド部１３７ａ）を有し、被位置調整部が溝の内部傾斜面に誘導されて該溝の中央部（係合固定部１３７ｂ）に移動することで、表示ユニット１７３が適正位置に移動するようにしている。
【０２１２】
したがって、位置調整部材は、遊技盤１の裏面から後方側に突出形状であってその後端部がＶ字状の溝を有し、被位置調整部が溝の内部傾斜面に誘導されて該溝の中央部に移動することで、表示ユニット１７３が適正位置に移動するので、表示ユニット１７３を確実に適正位置に移動させることができる。
また、溝がＶ字状であるので比較的大きい範囲で被位置調整部を移動させることができる上、溝の中央部（Ｖ字状の溝の谷底の部分）で確実に被位置調整部を保持することができる。特に、表示ユニット１７３は前方側に付勢されているので、位置調整部材のＶ字状の溝で最も前側に位置する溝の中央部に、被位置調整部を保持するのに十分な保持力を確保できる。
【０２１３】
また、被位置調整部（第２の被位置調整部２０）は、溝（誘導ガイド部１３７ａ）の内部傾斜面において誘導される際に回転可能なローラ２０ｂを有している。
【０２１４】
したがって、被位置調整部は、溝の内部傾斜面において誘導される際に回転可能なローラ２０ｂを有するので、表示ユニット１７３がスムーズに所定位置へ誘導される。
【０２１５】
また、遊技領域１ａを形成する遊技盤１を前面枠１２０の遊技盤収納部（開口部１３１）に対して着脱可能に配設し、該遊技盤前面の所要領域において遊技に関わる表示ゲームを表示するようにした遊技機１００において、前面枠１２０の左右方向一側に、遊技盤１を係止する係止部材１３４を配設する一方、他方に遊技盤１を固定する遊技盤固定部材１３５を配設し、該遊技盤１の一方端を前面枠１２０前方側から係止部材１３４に係止させた状態で、他方端側を遊技盤固定部材１３５で固定可能な位置まで後方に回動させることで、当該遊技盤１を前面枠１２０に装着するように構成し、前面枠１２０における遊技盤１の後方位置に、表示ゲームを実行する表示ユニット１７３を設け、表示ユニット１７３は、前後にスライド可能であって前方側に付勢された状態で前面枠１２０側に配設されるとともに、遊技盤１を前面枠１２０に装着した際に、遊技盤１の裏面当接部（センターケース１１の後端部１６、第１の位置調整部材１３８、第２の位置調整部材１３７）と表示ユニット１７３の当接部（前面クリアカバー１７９、第１の被位置調整部２１、第２の被位置調整部２０）とが当接可能に設けられ、表示ユニット１７３は、遊技盤１を取り付けない状態で、前方に移動した場合に、遊技盤１の係止側斜め前方を向くように構成されている。
【０２１６】
したがって、前面枠１２０の左右方向一側に、遊技盤１を係止する係止部材１３４を配設する一方、他方に遊技盤１を固定する遊技盤固定部材１３５を配設し、該遊技盤１の一方端を前面枠１２０前方側から係止部材１３４に係止させた状態で、他方端側を遊技盤固定部材１３５で固定可能な位置まで後方に回動させることで、当該遊技盤１を前面枠１２０に装着するように構成したので、容易に遊技盤１を装着することができる。
【０２１７】
また、前面枠１２０における遊技盤１の後方位置に、表示ゲームを実行する表示ユニット１７３を設けたことで、表示ユニット１７３を再利用することができる。
すなわち、表示ユニット１７３が遊技盤１ではなく前面枠１２０側に設けられることとなり、遊技盤１を交換する場合でも、表示ユニット１７３は交換する必要がないので、表示ユニット１７３を新たな遊技盤１でも使用できる。また、遊技機１００の入れ替え時に遊技機全体を交換する場合でも、表示ユニット１７３は遊技盤１と別構成であるので、表示ユニット１７３を簡単に取り外せることから、表示ユニット１７３を再利用できる。
【０２１８】
また、表示ユニット１７３は、前後にスライド可能で前方側に付勢された状態で配設され、遊技盤１を前面枠１２０に装着した際に、遊技盤１の裏面当接部と表示ユニット１７３の当接部とが当接可能に設けられ、遊技盤１を取り付けない状態で前方に移動した場合に、遊技盤１の係止側斜め前方を向くように構成されているので、係止部材１３４に係止された部分を軸として回動するように装着される遊技盤１の裏面当接部と表示ユニット１７３の当接部との、当接する際の角度の差を小さくすることができる。
すなわち、遊技盤１の裏面当接部のうち係止部材１３４に近い側の一部が先に当接部に当接するが、すぐに裏面当接部と当接部が全体で当接するようになるので、表示ユニット１７３を付勢部材の付勢力に抗して確実に押し込むことができる。
また、先に当接部に当接した遊技盤１の裏面当接部の係止部材１３４に近い側の一部が、遊技盤１の回動に伴って当接部に対して移動する距離を少なくすることができ、確実に適正位置に配置されるようになる。
【０２１９】
ここで、表示ユニット１７３の係止側斜め前方を向く角度を、裏面当接部が当接部に当接する当初から全体で当接可能な角度に設定すれば、より確実に表示ユニット１７３を押し込むことができるとともに、より確実に裏面当接部を適正位置に配置できるようになる。
【０２２０】
また、遊技領域１ａを形成する遊技盤１を前面枠１２０の遊技盤収納部（開口部１３１）に対して着脱可能に配設し、該遊技盤前面の所要領域において遊技に関わる表示ゲームを表示するようにした遊技機１００において、前面枠１２０における遊技盤１の後方に位置し、表示ゲームを実行する表示ユニット１７３と、表示ユニット１７３を、前後にスライド可能に支持する裏機構枠１６０と、裏機構枠１６０に一端が取り付けられ、表示ユニット１７３を前方側に付勢する付勢部材（圧縮コイルばね１８２）と、を備え、遊技盤１を前面枠１２０に装着した際に該遊技盤１の裏面当接部（センターケース１１の後端部１６、第１の位置調整部材１３８、第２の位置調整部材１３７）と表示ユニット１７３の当接部（前面クリアカバー１７９、第１の被位置調整部２１、第２の被位置調整部２０）とが当接可能に構成し、裏機構枠１６０は、前面枠１２０に対して、左右方向一側が上下方向の回動軸１３２により開閉可能に軸着され、表示ユニット１７３は、遊技盤１を取り付けない状態で、前方に移動した場合に、一側斜め前方を向くように構成されている。
【０２２１】
したがって、前面枠１２０における遊技盤１の後方に位置し、表示ゲームを実行する表示ユニット１７３と、表示ユニット１７３を、前後にスライド可能に支持する裏機構枠１６０と、裏機構枠１６０に一端が取り付けられ、表示ユニット１７３を前方側に付勢する付勢部材と、を備え、遊技盤１を前面枠１２０に装着した際に該遊技盤１の裏面当接部と表示ユニット１７３の当接部とが当接可能に構成したので、表示ユニット１７３を再利用することができる。
すなわち、表示ユニット１７３が遊技盤１ではなく前面枠１２０側に設けられることとなり、遊技盤１を交換する場合でも、表示ユニット１７３は交換する必要がないので、表示ユニット１７３を新たな遊技盤１でも使用できる。また、遊技機１００の入れ替え時に遊技機全体を交換する場合でも、表示ユニット１７３は遊技盤１と別構成であるので、表示ユニット１７３を簡単に取り外せることから、表示ユニット１７３を再利用できる。
【０２２２】
また、裏機構枠１６０は、前面枠１２０に対して、左右方向一側が上下方向の回動軸１３２により開閉可能に軸着され、表示ユニット１７３は、遊技盤１を取り付けない状態で、前方に移動した場合に、一側斜め前方を向くように構成されているので、回動可能な裏機構枠１６０に配設された表示ユニット１７３に設けられた当接部と、遊技盤１の裏面当接部との、当接する際の角度の差を小さくすることができる。
すなわち、表示ユニット１７３の当接部には、遊技盤１の裏面当接部のうち、裏機構枠１６０の回動軸１３２に近い側の一部が先に当接するが、すぐに当接部と裏面当接部が全体で当接するようになるので、表示ユニット１７３が付勢部材の付勢力に抗して確実に押し込まれるようになる。
また、先に当接部に当接した、裏機構枠１６０の回動軸１３２に近い側にある遊技盤１の裏面当接部の一部が、裏機構枠１６０の回動に伴って当接部に対して移動する距離を少なくすることができ、確実に適正位置に配置されるようになる。
【０２２３】
ここで、表示ユニット１７３の係止側斜め前方を向く角度を、裏面当接部が当接部に当接する当初から全体で当接可能な角度に設定すれば、より確実に表示ユニット１７３が押し込まれるようになるとともに、より確実に裏面当接部を適正位置に配置できるようになる。
【０２２４】
なお、本発明の遊技機１００は、遊技機として、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０２２５】
１        遊技盤
１ａ      遊技領域
１１      センターケース
１２      表示用窓部
１６      後端部（裏面当接部）
２０      第２の被位置調整部（当接部、被位置調整部）
２０ｂ    ローラ
２１      第１の被位置調整部（当接部、被位置調整部）
３３      演出制御装置（表示制御装置）
３３ａ    ボックス
１００    遊技機
１２０    前面枠
１３０    前面枠本体
１３１    開口部（遊技盤収納部）
１３２    回動軸
１３４    係止部材
１３５    遊技盤固定部材
１３７    第２の位置調整部材（裏面当接部、位置調整部）
１３７ａ  誘導ガイド部（Ｖ字状の溝）
１３７ｂ  係合固定部（溝の中央部）
１３８    第１の位置調整部材（裏面当接部、位置調整部）
１６０    裏機構枠
１６５    演出制御装置配設部（表示制御装置取付部）
１６８    表示枠ユニット収納部（空間）
１７０    表示枠ユニット
１７３    表示ユニット
１８２    圧縮コイルばね（付勢部材）
２６５    固定部材）
２６７    係合部
２７０    付勢取付部材移動部
２７１    付勢取付部材
２７２    押圧部（固定手段）
２７５    押圧部固定部材（固定手段）
２７６    表示制御装置固定部材
【図１】
0004794638.tif 000002
【図２】
0004794638.tif 000003
【図３】
0004794638.tif 000004
【図４】
0004794638.tif 000005
【図５】
0004794638.tif 000006
【図６】
0004794638.tif 000007
【図７】
0004794638.tif 000008
【図８】
0004794638.tif 000009
【図９】
0004794638.tif 000010
【図１０】
0004794638.tif 000011
【図１１】
0004794638.tif 000012
【図１２】
0004794638.tif 000013